(57)【要約】      （修正有）【課題】ユーザが所望するタイミングで予告コンテンツを提示すると共に、予告コンテンツに関連付けられた放送番組の受信予約を行うことができる放送受信端末を提供する。【解決手段】テレビ１０は、サーバ２０からネットワーク２を介し、予告情報、および、受信予約情報を含むコンテンツ情報を受信し、表示部１４により、予告コンテンツを表示する。操作信号受付部１６が、受信予約する旨の操作信号を受け付けると、予約部１８は、放送番組の受信予約を実行する。【選択図】図１
2015186138.tif 000002
【特許請求の範囲】
【請求項１】
放送番組を予告する予告コンテンツに関連付けられている予告情報、および、当該放送番組を受信予約するための受信予約情報を含むコンテンツ情報を、ネットワークを介して受信する受信手段と、
上記受信手段が受信した上記予告情報に関連付けられている予告コンテンツを表示する表示手段と、
上記放送番組を受信予約する旨の操作信号を受け付けた場合に、上記受信予約情報を参照して上記放送番組の受信予約を実行する予約手段と、を備えていることを特徴とする放送受信端末。
【請求項２】
上記表示手段は、複数の予告コンテンツを表示し、
上記複数の予告コンテンツの中から所定のコンテンツを選択する予告コンテンツ選択手段と、を備え、
上記予約手段は、当該選択された予告コンテンツが予告する放送番組の受信予約を実行することを特徴とする請求項１に記載の放送受信端末。
【請求項３】
上記受信手段は、１または複数の放送番組の各々を特定する各番組特定情報を含む番組リスト情報を受信し、
上記表示手段は、上記番組リスト情報を参照して、上記各番組特定情報を含む番組リストを表示することを特徴とする請求項１または２に記載の放送受信端末。
【請求項４】
上記予約手段は、上記表示手段が上記予告コンテンツを表示している期間中に、上記受信予約する旨の操作信号を受け付けた場合、上記受信予約情報を参照して上記放送番組の受信予約を実行することを特徴とする請求項１〜３の何れか１項に記載の放送受信端末。
【請求項５】
各番組特定情報には、付加情報が関連付けられており、
当該放送受信端末は、特定の条件を満たす付加情報に関連付けられた番組特定情報を抽出する抽出手段を更に備え、
上記表示手段は、上記抽出手段によって抽出された番組特定情報よりなる番組リストを表示することを特徴とする請求項３または４に記載の放送受信端末。
【請求項６】
上記付加情報には、上記放送番組を放送する放送局を示す放送局情報、上記放送番組の属性を示す属性情報、上記放送番組の放送日時を示す放送日時情報、および上記放送番組を視聴するために課金されるか否かを示す課金情報の少なくとも何れかが含まれていることを特徴とする請求項５に記載の放送受信端末。
【請求項７】
上記受信手段は、上記表示手段が表示する番組リストに含まれる番組特定情報によって特定される放送番組に関連付けられている予告コンテンツを受信することを特徴とする請求項３〜６の何れか１項に記載の放送受信端末。
【請求項８】
上記放送受信端末は、上記予約手段が受信予約した放送番組が予約されたことを示す受信予約情報を、上記コンテンツ情報を配信する外部サーバに送信する送信手段をさらに備えていることを特徴とする請求項１〜７の何れか１項に記載の放送受信端末。
【請求項９】
上記放送受信端末は、上記コンテンツ情報を配信する外部サーバに対して、上記コンテンツ情報の送信を要求することを特徴とする請求項１〜８の何れか１項に記載の放送受信端末。
【請求項１０】
放送番組を予告する予告コンテンツに関連付けられている予告情報を、ネットワークを介して送信する送信手段と、
上記放送番組の受信予約が実行されたことを示す予約済情報と、上記放送番組の受信予約を実行した端末を特定する端末特定情報と、を受信する受信手段と、を備え、
上記受信手段が上記予約済情報を受信した場合、上記送信手段は、上記放送番組を予告する予告コンテンツに関連付けられている予告情報と、上記放送番組は受信予約されていることを示す受信予約済情報と、を送信することを特徴とするサーバ。
【請求項１１】
放送受信端末およびサーバを備えている受信予約システムであって、
上記放送受信端末は、
放送番組を予告する予告コンテンツに関連付けられている予告情報、および、当該放送番組を受信予約するための受信予約情報を含むコンテンツ情報を、ネットワークを介して受信する端末受信手段と、
上記端末受信手段が受信した上記予告情報に関連付けられている予告コンテンツを表示する表示手段と、
上記放送番組を受信予約する旨の操作信号を受け付けた場合に、上記受信予約情報を参照して上記放送番組の受信予約を実行する予約手段と、を備え、
上記サーバは、上記コンテンツ情報を上記放送受信端末に送信するサーバ送信手段を備えていることを特徴とする受信予約システム。
【請求項１２】
上記放送受信端末は、上記予約手段が受信予約した番組が予約済であることを示す受信予約情報を、上記コンテンツ情報を配信する外部サーバに送信する端末送信手段をさらに備え、
上記サーバは、上記放送受信端末から上記受信予約情報を受信するサーバ受信手段をさらに備え、
上記サーバ送信手段は、上記サーバ受信手段が上記予告情報を受信した場合、上記放送番組を予告する予告コンテンツに関連付けられている予告情報と、上記放送番組は受信予約されていることを示す予約済情報と、を送信することを特徴とする請求項１１に記載の受信予約システム。
【請求項１３】
放送受信端末としてコンピュータを機能させるための制御プログラムであって、上記コンピュータを、
放送番組を予告する予告コンテンツに関連付けられている予告情報、および、当該放送番組を受信予約するための受信予約情報を含むコンテンツ情報を、ネットワークを介して受信する受信制御手段と、
上記受信制御手段が受信した上記予告情報に関連付けられている予告コンテンツを表示する表示制御手段と、
上記放送番組を受信予約する旨の操作信号を受け付けた場合に、上記受信予約情報を参照して上記放送番組の受信予約を実行する予約制御手段と、として機能させるための制御プログラム。
【請求項１４】
サーバを制御する制御方法であって、
放送番組を予告する予告コンテンツに関連付けられている予告情報を、ネットワークを介して送信する送信工程と、
上記放送番組の受信予約が実行されたことを示す予約済情報と、上記放送番組の受信予約を実行した端末を特定する端末特定情報と、を受信する受信工程と、を含み、
上記送信工程は、上記受信工程において上記予約済情報を受信した場合、上記放送番組を予告する予告コンテンツに関連付けられている予告情報と、上記放送番組は受信予約されていることを示す受信予約済情報と、を送信することを特徴とする制御方法。
【請求項１５】
表示端末および放送受信端末を備えた受信予約システムであって、
上記表示端末は、
放送番組を予告する予告コンテンツに関連付けられている予告情報、および、当該放送番組を受信予約するための受信予約情報を含むコンテンツ情報を、ネットワークを介して受信する端末受信手段と、
上記端末受信手段が受信した上記予告情報に関連付けられている予告コンテンツを表示する表示手段と、
上記放送番組を受信予約する旨の操作信号を受け付けた場合に、上記受信予約情報を参照して上記放送番組の受信予約を実行する旨の受信予約指示を、上記放送受信端末に対して行う受信予約指示手段と、を備え、
上記放送受信端末は、
上記表示端末から、上記受信予約指示を受け付ける受信予約受付手段と、
上記受信予約指示を参照して上記放送番組の受信予約を実行する予約手段と、を備えることを特徴とする受信予約システム。
【請求項１６】
放送番組を予告する予告コンテンツに関連付けられている予告情報、および、当該放送番組を受信予約するための受信予約情報を含むコンテンツ情報を、ネットワークを介して受信する端末受信手段と、
上記端末受信手段が受信した上記予告情報に関連付けられている予告コンテンツを表示する表示手段と、
上記放送番組を受信予約する旨の操作信号を受け付けた場合に、上記受信予約情報を参照して上記放送番組の受信予約を実行する旨の受信予約指示を行う受信予約指示手段と、を備えることを特徴とする表示端末。
【請求項１７】
表示端末としてコンピュータを機能させるための制御プログラムであって、上記コンピュータを、
放送番組を予告する予告コンテンツに関連付けられている予告情報、および、当該放送番組を受信予約するための受信予約情報を含むコンテンツ情報を、ネットワークを介して受信する端末受信手段と、
上記端末受信手段が受信した上記予告情報に関連付けられている予告コンテンツを表示する表示手段と、
上記放送番組を受信予約する旨の操作信号を受け付けた場合に、上記受信予約情報を参照して上記放送番組の受信予約を実行する旨の受信予約指示を行う受信予約指示手段と、として機能させるための制御プログラム。
【発明の詳細な説明】
【技術分野】
【０００１】
本発明は放送番組を受信予約する放送受信端末、放送番組の予告を送信するサーバ、当該放送受信端末とサーバとを備える受信予約システム、当該放送受信端末の制御プログラム、および当該サーバの制御方法に関する。
【背景技術】
【０００２】
従来、放送番組の予告を見た視聴者が、当該放送番組を見たいと思った場合、当該放送番組を放送するチャンネルと放送日時とを記憶したり、メモを取ったりする必要があった。そこで、放送番組の予告を見ながら、より簡単に視聴予約および録画予約をすることができる技術が開示されている。
【０００３】
例えば、特許文献１には、放送番組の予告を表示している間、当該放送番組の予約を誘引するための予約誘引用ボタンコンテンツを表示する受信装置が開示されている。当該受信装置は、視聴者によって予約誘引ボタンが選択されると、当該放送番組の視聴予約および録画予約を行う。
【先行技術文献】
【特許文献】
【０００４】
【特許文献１】特開２０１０−１４１７８１号公報（２０１０年６月２４日公開）
【発明の概要】
【発明が解決しようとする課題】
【０００５】
しかしながら、上述の従来技術では、放送番組の予告を放送する時刻は放送局が決めているため、受信装置は、視聴者が見たいと思ったときに予告を視聴者に提示することができないという問題があり、ひいては、視聴者が興味のある放送番組を見逃してしまう、という問題がある。
【０００６】
そこで、本発明は、上記の課題に鑑みてなされたものであり、その目的は、ユーザに対し、ユーザが所望するタイミングで予告コンテンツを提示すると共に、当該予告コンテンツに関連付けられた放送番組の受信予約を行うことができる放送受信端末、サーバ、受信予約システム、放送受信方法、および制御プログラムを提供することにある。
【課題を解決するための手段】
【０００７】
上記の課題を解決するために、本発明の一態様に係る放送受信端末は、放送番組を予告する予告コンテンツに関連付けられている予告情報、および、当該放送番組を受信予約するための受信予約情報を含むコンテンツ情報を、ネットワークを介して受信する受信手段と、上記受信手段が受信した上記予告情報に関連付けられている予告コンテンツを表示する表示手段と、上記放送番組を受信予約する旨の操作信号を受け付けた場合に、上記受信予約情報を参照して上記放送番組の受信予約を実行する予約手段と、を備えている。
【０００８】
また、上記の課題を解決するために、本発明の一態様に係るサーバは、放送番組を予告する予告コンテンツに関連付けられている予告情報を、ネットワークを介して送信する送信手段と、上記放送番組の受信予約が実行されたことを示す予約済情報と、上記放送番組の受信予約を実行した端末を特定する端末特定情報と、を受信する受信手段と、を備え、上記受信手段が上記予約済情報を受信した場合、上記送信手段は、上記放送番組を予告する予告コンテンツに関連付けられている予告情報と、上記放送番組は受信予約されていることを示す受信予約済情報と、を送信する。
【０００９】
また、上記の課題を解決するために、本発明の一態様に係る受信予約システムは、放送受信端末およびサーバを備えている受信予約システムであって、上記放送受信端末は、放送番組を予告する予告コンテンツに関連付けられている予告情報、および、当該放送番組を受信予約するための受信予約情報を含むコンテンツ情報を、ネットワークを介して受信する端末受信手段と、上記端末受信手段が受信した上記予告情報に関連付けられている予告コンテンツを表示する表示手段と、上記放送番組を受信予約する旨の操作信号を受け付けた場合に、上記受信予約情報を参照して上記放送番組の受信予約を実行する予約手段と、を備え、上記サーバは、上記コンテンツ情報を上記放送受信端末に送信するサーバ送信手段を備えている。
【００１０】
また、上記の課題を解決するために、本発明の一態様に係る制御プログラムは、放送受信端末としてコンピュータを機能させるための制御プログラムであって、上記コンピュータを、放送番組を予告する予告コンテンツに関連付けられている予告情報、および、当該放送番組を受信予約するための受信予約情報を含むコンテンツ情報を、ネットワークを介して受信する受信制御手段と、上記受信手段が受信した上記予告情報に関連付けられている予告コンテンツを表示する表示制御手段と、上記放送番組を受信予約する旨の操作信号を受け付けた場合に、上記受信予約情報を参照して上記放送番組の受信予約を実行する予約制御手段と、として機能させる。
【００１１】
また、上記の課題を解決するために、本発明の一態様に係る制御方法は、サーバを制御する制御方法であって、放送番組を予告する予告コンテンツに関連付けられている予告情報を、ネットワークを介して送信する送信工程と、上記放送番組の受信予約が実行されたことを示す予約済情報と、上記放送番組の受信予約を実行した端末を特定する端末特定情報と、を受信する受信工程と、を含み、上記送信工程は、上記受信工程において上記予約済情報を受信した場合、上記放送番組を予告する予告コンテンツに関連付けられている予告情報と、上記放送番組は受信予約されていることを示す予約済情報と、を送信する。
【００１２】
また、上記の課題を解決するために、本発明の一態様に係る受信予約システムは、表示端末および放送受信端末を備えた受信予約システムであって、上記表示端末は、放送番組を予告する予告コンテンツに関連付けられている予告情報、および、当該放送番組を受信予約するための受信予約情報を含むコンテンツ情報を、ネットワークを介して受信する端末受信手段と、上記端末受信手段が受信した上記予告情報に関連付けられている予告コンテンツを表示する表示手段と、上記放送番組を受信予約する旨の操作信号を受け付けた場合に、上記受信予約情報を参照して上記放送番組の受信予約を実行する旨の受信予約指示を、上記放送受信端末に対して行う受信予約指示手段と、を備え、上記放送受信端末は、上記表示端末から、上記受信予約指示を受け付ける受信予約受付手段と、上記受信予約指示を参照して上記放送番組の受信予約を実行する予約手段と、を備える。
【００１３】
また、上記の課題を解決するために、本発明の一態様に係る表示端末は、放送番組を予告する予告コンテンツに関連付けられている予告情報、および、当該放送番組を受信予約するための受信予約情報を含むコンテンツ情報を、ネットワークを介して受信する端末受信手段と、上記端末受信手段が受信した上記予告情報に関連付けられている予告コンテンツを表示する表示手段と、上記放送番組を受信予約する旨の操作信号を受け付けた場合に、上記受信予約情報を参照して上記放送番組の受信予約を実行する旨の受信予約指示を行う受信予約指示手段と、を備える。
【００１４】
また、上記の課題を解決するために、本発明の一態様に係る制御プログラムは、表示端末としてコンピュータを機能させるための制御プログラムであって、上記コンピュータを、放送番組を予告する予告コンテンツに関連付けられている予告情報、および、当該放送番組を受信予約するための受信予約情報を含むコンテンツ情報を、ネットワークを介して受信する端末受信手段と、上記端末受信手段が受信した上記予告情報に関連付けられている予告コンテンツを表示する表示手段と、上記放送番組を受信予約する旨の操作信号を受け付けた場合に、上記受信予約情報を参照して上記放送番組の受信予約を実行する旨の受信予約指示を行う受信予約指示手段と、として機能させる。
【発明の効果】
【００１５】
本発明の一態様によれば、ユーザに対し、ユーザが所望するタイミングで予告コンテンツを提示すると共に、当該予告コンテンツに関連付けられた放送番組の受信予約を行うことができるという効果を奏する。
【図面の簡単な説明】
【００１６】
【図１】本発明の実施形態１に係る受信予約システムの構成を示すブロック図である。
【図２】本発明の実施形態１に係る受信予約システムを模式的に示す図である。
【図３】本発明の実施形態１に係る受信予約システムにおけるコンテンツ情報の一例である。
【図４】本発明の実施形態１に係る受信予約システムにおけるコンテンツ情報のタグの種類を示す表である。
【図５】本発明の実施形態１に係る受信予約システムの処理を示すシーケンス図である。
【図６】本発明の実施形態１に係る受信予約システムにおいて、予告を表示する旨の操作信号を受け付ける場合にテレビに表示される画面の例である。
【図７】本発明の実施形態１に係る受信予約システムにおいて、テレビの画面に表示される予告の例である。
【図８】本発明の実施形態１に係る受信予約システムにおいて、テレビの画面に表示される予告の他の例である。
【図９】本発明の実施形態１に係る受信予約システムにおいて、予告画面に代えて表示される画面の例である。
【図１０】本発明の実施形態１に係る受信予約システムにおいて、テレビの画面に表示される予告紹介画面の例である。
【図１１】本発明の実施形態１に係る受信予約システムのハードウェア構成の概略を示すブロック図である。
【図１２】本発明の実施形態２に係る受信予約システムの処理を示すシーケンス図である。
【図１３】本発明の実施形態３に係る受信予約システムにおいて、テレビの画面に表示される予告画面の一例である。
【図１４】本発明の実施形態３に係る受信予約システムにおいて、テレビの画面に表示される予告画面の別の一例である。
【図１５】本発明の実施形態４に係る受信予約システムにおいて、テレビの画面に表示される予告画面の一例である。
【図１６】本発明の実施形態６に係る受信予約システムにおいて、テレビの画面に表示される予告画面の一例である。
【図１７】本発明の実施形態８に係る受信予約システムの構成を示すブロック図である。
【図１８】本発明の実施形態８に係る受信予約システムを模式的に示す図である。
【図１９】本発明の実施形態８に係る受信予約システムの処理を示すシーケンス図である。
【図２０】本発明の実施形態８に係る受信予約システムにおいて、予告画面に代えて表示される画面の例である。
【図２１】本発明の実施形態８に係る受信予約システムにおいて、コンテンツ情報記憶部が記憶する機器対応テーブルを示す図である。
【図２２】本発明の実施形態８におけるレコーダのハードウェア構成の概略を示すブロック図である。
【図２３】本発明の実施形態９に係る受信予約システムにおけるコンテンツ情報の一例である。
【図２４】本発明の実施形態９に係る受信予約システムを模式的に示す図である。
【図２５】本発明の実施形態９に係る受信予約システムの処理を示すシーケンス図である。
【図２６】本発明の実施形態９におけるリモートアクセスサーバに保存されているデータベースを示す図である。
【図２７】本発明の実施形態９におけるスマートフォンのハードウェア構成の概略を示すブロック図である。
【発明を実施するための形態】
【００１７】
以下、本発明の実施の形態について、詳細に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。なお、本実施形態に係る放送受信端末はテレビであるが、本発明はこれに限定されず、例えばＰＣ、スマートフォンなど、他の放送受信端末にも適用可能である。
【００１８】
〔実施形態１〕
図２は、本発明の実施形態１に係る受信予約システム１を模式的に示す図である。図２に示すように、受信予約システム１は、サーバ２０およびテレビ１０によって構成されている。受信予約システム１を構成するサーバ２０およびテレビ１０の詳細について、図１を用いて説明する。
【００１９】
図１は、本発明の実施形態１に係る受信予約システム１の構成を示すブロック図である。図１に示すように、受信予約システム１は、テレビ（放送受信端末）１０およびサーバ（外部サーバ）２０によって構成されている。受信予約システム１では、テレビ１０が受信する放送番組の予告コンテンツを、サーバ２０がネットワーク２を介してテレビ１０に送信（配信）し、テレビ１０は受信した予告コンテンツを画面に表示する。そして、テレビ１０は、予告コンテンツを表示している画面において、当該放送番組の受信予約を実行することができる。
【００２０】
ここで、放送番組とは、一般に、ユーザからの要求とは無関係に、放送局又は放送サーバから放送（配信）される番組のことを指す。放送番組は、放送波を介して放送されるものであってもよいし、ネットワーク経由で配信されるものであってもよい。放送局又は放送サーバが放送番組を放送（配信）する日時は、放送局又は放送サーバが予め決定している。そのため、テレビ１０は、放送番組を受信する日時を決定することはできず、また、放送局又は放送サーバに対して放送番組を放送する日時を要求することもできない。
【００２１】
また、予告コンテンツとは、放送番組を予告するコンテンツを指す。予告コンテンツは、テレビ１０がネットワーク２を介してサーバ２０から受信するので、テレビ１０は、サーバ２０が当該予告コンテンツを送信可能な期間であれば、ユーザが所望するタイミングで当該予告コンテンツを受信し、表示することができる。サーバ２０が当該予告コンテンツを送信可能な期間の詳細については、後述する。
【００２２】
また、受信予約とは、テレビ１０が放送番組を受信することを予約することであり、より具体的には、視聴予約、録画予約が含まれる。
【００２３】
（テレビ１０）
テレビ１０は、図１に示すように、テレビ通信部１１およびテレビ制御部１２を備えている。
【００２４】
テレビ通信部１１は、ネットワーク２を介して、サーバ２０とデータの送受信をすることができる機能を備えている。
【００２５】
テレビ制御部１２は、テレビ１０の各構成を統括的に制御するものである。テレビ制御部１２の詳細について、以下に説明する。
【００２６】
（テレビ制御部１２）
テレビ制御部１２は、図１に示すように、テレビ受信部（受信手段、端末受信手段、受信制御手段）１３、表示部（表示手段、抽出手段、表示制御手段）１４、リクエスト送信部１５、操作信号受付部（予告コンテンツ選択手段）１６、予約済情報送信部（送信手段、端末送信手段）１７、および予約部（予約手段、予約制御手段）１８としても機能する。
【００２７】
テレビ受信部１３は、テレビ通信部１１を制御し、テレビ通信部１１がネットワーク２を介して受信したデータを受信する。テレビ受信部１３は、受信したデータを表示部１４へ出力する。テレビ受信部１３は、上述の放送番組を受信することもできるし、放送番組以外のコンテンツを受信することもできる。
【００２８】
表示部１４は、取得したデータを参照し、テレビ１０が備える画面に画像を表示するための制御を行う。
【００２９】
リクエスト送信部１５は、操作信号受付部１６から取得した操作情報を参照し、サーバ２０に対してデータの送信を要求する信号を、テレビ通信部１１を介して送信する。
【００３０】
操作信号受付部１６は、ユーザが入力した情報を受け付け、受け付けた情報を操作信号として接続されている各部に出力する。
【００３１】
予約済情報送信部１７は、テレビ１０が放送番組を受信予約した場合、当該放送番組を受信予約したことを示す予約済情報を、サーバ２０に対してテレビ通信部１１を介して送信する。
【００３２】
予約部１８は、上記放送番組を受信予約する旨の操作信号を受け付けた場合に、放送番組の受信予約を実行する。予約部１８は、後述する受信予約情報を参照することにより受信予約を実行するが、さらに、ＥＰＧ（Electronic Program Guide）を利用してもよい。
【００３３】
なお、テレビ１０は、図１には図示しない放送番組受信手段を備える。放送番組受信手段は、放送波を介して、上述の放送番組を受信することができる。また、放送番組受信手段は、予約部１８が受信予約を実行した放送番組の開始時刻になると、当該放送番組の受信を実行し、受信予約が「視聴予約」であった場合は、受信した放送番組を表示部１４に出力し、受信予約が「録画予約」であった場合は、テレビ１０に外部接続されたＨＤＤ（図示しない）に放送番組を録画する。
【００３４】
（サーバ２０）
サーバ２０は、図１に示すように、サーバ通信部２１、予告コンテンツ記憶部２３、コンテンツ情報記憶部２６、およびサーバ制御部２９を備えている。
【００３５】
サーバ通信部２１は、ネットワーク２を介して、テレビ１０とデータの送受信をすることができる。
【００３６】
予告コンテンツ記憶部２３は、予告コンテンツを記憶する。予告コンテンツ記憶部２３に記憶されている予告コンテンツは、サーバ制御部２９が読み出すことができる。
【００３７】
コンテンツ情報記憶部２６は、コンテンツ情報を記憶する。コンテンツ情報記憶部２６に記憶されているコンテンツ情報は、サーバ制御部２９が読み出すことができる。
【００３８】
サーバ制御部２９は、サーバ２０の各構成を統括的に制御するものである。サーバ制御部２９の詳細について、以下に説明する。
【００３９】
（サーバ制御部２９）
サーバ制御部２９は、図１に示すように、予告コンテンツ送信部（サーバ送信手段）２２、サーバ受信部（受信手段、サーバ受信手段）２４、コンテンツ情報管理部２５、サーバ送信部（送信手段）２７、および番組リスト生成部２８としても機能する。
【００４０】
予告コンテンツ送信部２２は、サーバ受信部２４から予告コンテンツを要求する信号を取得する。そして、予告コンテンツ送信部２２は、当該信号が示す予告コンテンツを、予告コンテンツ記憶部２３から取得し、テレビ１０に送信する。
【００４１】
サーバ受信部２４は、サーバ通信部２１を制御し、サーバ通信部２１からデータを受信する。サーバ受信部２４は、受信したデータを、サーバ制御部２９の各部に出力する。
【００４２】
コンテンツ情報管理部２５は、コンテンツ情報記憶部２６に記憶されているコンテンツ情報を管理する。より具体的には、コンテンツ情報管理部２５は、予告を表示する旨の要求信号をサーバ受信部２４から取得すると、取得した要求信号に対応するコンテンツ情報をコンテンツ情報記憶部２６から取得し、番組リスト生成部２８に出力する。
【００４３】
サーバ送信部２７は、取得した情報を、サーバ通信部２１を介してテレビ１０に送信する。
【００４４】
番組リスト生成部２８は、取得したコンテンツ情報を参照して、番組リスト情報を生成する。番組リスト情報の詳細については、後述する。
【００４５】
（各データの詳細）
受信予約システム１では、サーバ２０はテレビ１０に対して、予告コンテンツ、番組リスト情報、およびコンテンツ情報を送信する。予告コンテンツ、番組リスト情報、およびコンテンツ情報の詳細について、以下に説明する。
【００４６】
予告コンテンツとは、放送番組を予告するコンテンツのことを指し、具体的には、静止画像および動画像の少なくとも何れかを含んでいる。
【００４７】
番組リスト情報とは、１または複数の放送番組の各々を特定する各番組特定情報を含む番組リストを表示するための情報である。番組特定情報は、後述するコンテンツ情報から取得することができるが、それに限定されず、例えば、番組特定情報のみを記憶する番組特定情報記憶部を備え、番組特定情報記憶部から取得する構成であってもよい。
【００４８】
コンテンツ情報とは、放送番組を予告する予告コンテンツに関連付けられている予告情報、および、当該放送番組を受信予約するための受信予約情報を含んでいる。コンテンツ情報について、図３および図４を用いてより詳細に説明する。図３は、本発明の実施形態１に係る受信予約システム１におけるコンテンツ情報の一例である。また、図４は、本発明の実施形態１に係る受信予約システム１におけるコンテンツ情報のタグの種類を示す表である。
【００４９】
（予告情報）
予告情報とは、予告コンテンツに関連付けられている情報である。なお、予告コンテンツに関連付けられているとは、後述するように、予告コンテンツのリンク先を指定する情報を予告情報が含んでいることを指すが、これに限定されず、例えば、予告コンテンツそのものを含んでいる場合も含まれる。図３において、ＣＰ（Contents Provider）名称、放送局名称、チャンネル名称、予告タイトル、予告紹介文、著作権表記、予告開始日、予告終了日、タグ、予告静止画ＵＲＬ、および予告動画ＵＲＩが予告情報に含まれる。
【００５０】
ＣＰ名称とは、予告コンテンツを供給するコンテンツプロバイダの名称を示す情報である。
【００５１】
放送局名称とは、予告コンテンツを送信する放送局名、または、放送番組の権利を保有する放送局名を示す情報である。
【００５２】
チャンネル名称とは、当該予告コンテンツが属するチャンネル名を示す情報である。
【００５３】
予告タイトルとは、当該予告コンテンツのタイトル名を示す情報である。
【００５４】
予告紹介文とは、当該予告コンテンツが予告する放送番組を紹介するテキストを示す情報であるが、当該予告コンテンツが予告する放送番組を紹介するテキストのリンク先を示す情報であってもよい。また、予告紹介文は、当該予告コンテンツが予告する放送番組を紹介するテキストを示す情報と、放送番組を紹介するテキストのリンク先を示す情報との両方を含む構成であってもよい。例えば、詳細は後述するが、図１０の（ｂ）に示すように、放送番組を紹介するテキストを示す情報と、「<a href=”http://csxxx.co.jp/ring/promo.html”>公式サイト</a>」などという一般的なＨＴＭＬ（Hyper Text Markup Language）の記述によって表されるリンク先を示す情報とを、予告紹介文５３に含める構成が挙げられる。
【００５５】
著作権表記とは、当該予告コンテンツの著作権の帰属先、または、当該予告コンテンツが予告する放送番組の著作権の帰属先を示す情報である。
【００５６】
予告開始日とは、サーバ２０が当該予告コンテンツの送信が可能になる日時を示す情報である。
【００５７】
予告終了日とは、サーバ２０が当該予告コンテンツの送信が不可能になる日時を示す情報である。すなわち、ユーザが予告コンテンツを視聴可能な期間は、上述したサーバ２０が当該予告コンテンツを送信可能な期間であり、予告開始日から予告終了日までの期間である。
【００５８】
タグとは、当該放送番組の属性を示す属性情報である。タグは、当該放送番組に関連付けられているため、当該放送番組を特定する番組特定情報にも関連付けられている。タグの詳細については、図４を用いて後述する。
【００５９】
予告静止画ＵＲＬとは、予告コンテンツが静止画像の場合に、静止画像のリンク先を指定する情報である。
【００６０】
予告動画ＵＲＩとは、予告コンテンツが動画像の場合に、動画像のリンク先を指定する情報である。なお、予告動画ＵＲＩは、動画像が存在する場所を直接的に示す場合に限定されず、例えば、予告動画像を再生する方法や、動画像が存在する場所などが記載されている再生制御ファイル（例えば、ＣＰＣファイルなど）のリンク先を指定する情報であってもよい。
【００６１】
なお、予告情報は、少なくとも予告タイトルと、予告静止画ＵＲＬまたは予告動画ＵＲＩと、を含んでいる。また、ＣＰ名称、放送局名称、およびチャンネル名称は、図３に示すように異なっていてもよいし、同じであってもよい。
【００６２】
（タグの種類）
上述したように、タグとは、当該放送番組の属性を示す属性情報である。タグの具体的な種類について、図４を用いて説明する。
【００６３】
タグの種類として、ジャンル、出力可能機器、地域、視聴年齢制限、およびおすすめが挙げられる。
【００６４】
ジャンルとは、当該放送番組の内容を示す情報であり、例えば、「洋画」、「邦画」、「ドラマ」、および「スポーツ」などが挙げられる。
【００６５】
出力可能機器とは、当該放送番組を表示することができる機器を示す情報であり、例えば、「ＴＶ」、「ＰＣ」、および「ｍｏｂｉｌｅ」などが挙げられる。
【００６６】
地域とは、当該放送番組が放送される地域を示す情報であり、例えば、「全国」、「関東」、「関西」、「北海道」、および「東京」などが挙げられる。
【００６７】
視聴年齢制限とは、当該放送番組に設定されている視聴年齢制限を示す情報であり、例えば、ＰＧ−１２、Ｒ−１５、Ｒ−１５、および成人などが挙げられる。
【００６８】
おすすめとは、当該放送番組を放送する放送局や、当該放送番組の予告コンテンツを送信するＣＰなどが、当該放送番組を特に視聴者に視聴させたい場合に設定される情報であり、例えば、「おすすめ」および「見逃しキャンペーン」などが挙げられる。
【００６９】
また、タグは、放送番組の内容を示す属性情報ではなく、放送番組の予告コンテンツの属性を示す属性情報であってもよい。あるいは、予告情報は、当該放送番組の属性を示す放送番組タグと、当該放送番組の予告コンテンツの属性を示す予告コンテンツタグとを備える構成であってもよい。例えば、放送番組タグの出力可能機器として「ＴＶ」が指定されており、予告コンテンツタグの出力可能機器として「ＰＣ」および「ｍｏｂｉｌｅ」が指定されている場合、当該タグを含むコンテンツ情報を受信したパーソナルコンピュータ、及び携帯端末が予告コンテンツを表示し、当該タグを含むコンテンツ情報を受信したテレビ１０が放送番組を表示する。したがって、この構成において、ユーザは、予告コンテンツを「ＰＣ」および「ｍｏｂｉｌｅ」で視聴できるが、放送番組は「ＴＶ」のみで視聴または録画することができる。すなわち、「ＴＶ」のみで視聴または録画できる放送番組の予告コンテンツを「ＰＣ」および「ｍｏｂｉｌｅ」に表示可能となるため、当該予告コンテンツはユーザへの露出度が高くなる。このとき、予告コンテンツの表示画面上に、放送番組タグの出力可能機器を示すテキスト（例えば、「この放送はテレビでのみ視聴可能です」など）を表示する構成が好ましい。
【００７０】
（受信予約情報）
受信予約情報とは、放送番組を受信予約するための情報であるが、より具体的には、テレビ１０の予約部１８が放送番組を受信予約するために参照する情報である。図３において、受信予約情報とは、放送局名（放送局情報）、チャンネル名称、チャンネル番号、放送番組名、ネットワークＩＤ、サービスＩＤ、イベントＩＤ、放送開始日時（放送日時情報）、番組長、および契約情報（課金情報）を指す。
【００７１】
放送局名とは、当該放送番組を送信する放送局の名称を示す情報である。
【００７２】
チャンネル名称とは、当該放送番組が放送されるチャンネル名を示す情報である。
【００７３】
チャンネル番号とは、当該放送番組が放送されるチャンネル番号を示す情報である。
【００７４】
放送番組名とは、当該放送番組の名称を示す情報である。
【００７５】
ネットワークＩＤとは、地上デジタル放送、ＢＳ放送、およびＣＳ放送等の互いに伝送経路の異なる複数のデジタル放送の何れにおける放送番組であるかを特定する情報であり、１６進数４桁で表される。
【００７６】
サービスＩＤとは、当該放送番組を放送する放送局を特定するＩＤであり、例えば、１６進数４桁で表される。
【００７７】
イベントＩＤとは、当該放送番組を特定するＩＤであり、例えば、１６進数４桁で表される。
【００７８】
放送開始日時とは、当該放送番組の放送を開始する日時を示す情報である。
【００７９】
番組長とは、当該放送番組が放送される時間の長さを示す情報である。
【００８０】
契約情報とは、当該放送番組を視聴するために必要な契約を示す情報であり、例えば、８ビットで表される。テレビ１０は、契約情報を参照することにより、テレビ１０が当該放送番組を視聴できる状態であるか否か、つまり、当該放送番組を視聴可能であるか否か、さらに、視聴可能である場合、課金が発生するか否かを判断することができる。テレビ１０が当該放送番組を視聴できる状態であるか否かは、例えば、テレビ１０に挿入されたＢ−ＣＡＳカードを参照することにより、テレビ１０は判断することができる。
【００８１】
なお、受信予約情報は、少なくともネットワークＩＤ、サービスＩＤ、イベントＩＤ、放送開始日時、および番組長を含んでいる。この場合、例えば、ネットワークＩＤが地上デジタル放送の放送番組であることを示し、サービスＩＤが「ＡＡテレビ」を示し、イベントＩＤが「ＡＡテレビスペシャル」を示し、放送開始日時が「２０１３年１月１日午後８：００」を示し、番組長が「２時間」であった場合、予約部１８は、２０１３年１月１日の午後８：００から２時間、地上デジタル放送のＡＡテレビの「ＡＡテレビスペシャル」の受信予約を実行することができる。
【００８２】
なお、コンテンツ情報に含まれる放送局名、タグ、放送開始日時、契約情報は、後述するコンテンツ情報の抽出に利用されるため、付加情報とも称する。付加情報は、コンテンツ情報に含まれるため、番組特定情報にも関連付けられている。
【００８３】
（受信予約システム１の処理）
図５は、本発明の実施形態１に係る受信予約システム１の処理を示すシーケンス図である。受信予約システム１の処理について、図５を用いて説明する。
【００８４】
（ステップＳ１）
まず、テレビ１０の操作信号受付部１６は、予告を表示する旨の操作信号を受け付ける。操作信号受付部１６は、受け付けた操作信号を、リクエスト送信部１５に出力する。
【００８５】
（ステップＳ２）
リクエスト送信部１５は、操作信号受付部１６から、予告を表示する旨の操作信号を取得すると、予告を表示する旨の要求信号を、サーバ２０に送信する。
【００８６】
（ステップＳ３）
サーバ２０のサーバ受信部２４は、テレビ１０から送信された予告を表示する旨の要求信号を、サーバ通信部２１を介して受信する。そして、サーバ受信部２４は、受信した信号を、コンテンツ情報管理部２５に出力する。
【００８７】
（ステップＳ４）
コンテンツ情報管理部２５は、サーバ受信部２４から、予告を表示する旨の要求信号を取得すると、コンテンツ情報記憶部２６から取得した要求信号に対応するコンテンツ情報を取得し、番組リスト生成部２８に出力する。番組リスト生成部２８は、コンテンツ情報管理部２５からコンテンツ情報を取得すると、取得したコンテンツ情報に含まれている番組特定情報をリスト化し、番組リスト情報を生成する。番組リスト生成部２８は、コンテンツ情報と生成した番組リスト情報とを、サーバ送信部２７に出力する。サーバ送信部２７は、番組リスト生成部２８から取得したコンテンツ情報と番組リスト情報とを、サーバ通信部２１を介してテレビ１０に送信する。
【００８８】
（ステップＳ５）
テレビ１０のテレビ受信部１３は、サーバ２０から送信されたコンテンツ情報と番組リスト情報とを、テレビ通信部１１を介して受信する。そして、テレビ受信部１３は、受信したコンテンツ情報と番組リスト情報とを、表示部１４に出力する。
【００８９】
（ステップＳ６）
表示部１４は、取得したコンテンツ情報と番組リスト情報とを参照して、テレビ１０が備える画面に番組リストを含む予告を表示する。
【００９０】
（ステップＳ７）
操作信号受付部１６は、表示部１４が表示する番組リストに含まれる複数の番組特定情報から、番組特定情報を選択する旨の操作信号を受け付ける。そして、操作信号受付部１６は、番組特定情報を選択する旨の操作信号を、リクエスト送信部１５に出力する。
【００９１】
（ステップＳ８）
リクエスト送信部１５は、操作信号受付部１６から番組特定情報を選択する旨の操作信号を取得すると、選択された番組特定情報の予告コンテンツを要求する信号を、テレビ通信部１１を介してサーバ２０に送信する。
【００９２】
（ステップＳ９）
サーバ２０のサーバ受信部２４は、テレビ１０から送信された予告コンテンツを要求する信号を、サーバ通信部２１を介して受信する。そして、サーバ受信部２４は、受信した信号を、予告コンテンツ送信部２２に出力する。
【００９３】
（ステップＳ１０）
予告コンテンツ送信部２２は、サーバ受信部２４から取得した信号が示す予告コンテンツを、予告コンテンツ記憶部２３から取得する。そして、予告コンテンツ送信部２２は、取得した予告コンテンツを、サーバ通信部２１を介して、テレビ１０に送信する。
【００９４】
（ステップＳ１１）
テレビ１０のテレビ受信部１３は、サーバ２０から送信された予告コンテンツを、テレビ通信部１１を介して受信する。そして、テレビ受信部１３は、受信した予告コンテンツを、表示部１４に出力する。
【００９５】
（ステップＳ１２）
表示部１４は、取得した予告コンテンツを、テレビ１０の画面に表示する。
【００９６】
（ステップＳ１３）
操作信号受付部１６は、放送番組を受信予約する旨の操作信号を受け付ける。操作信号受付部１６は、受け付けた操作信号を、予約部１８に出力する。
【００９７】
（ステップＳ１４）
予約部１８は、取得した操作信号に応じて、受信予約情報を参照して放送番組の受信予約を実行する。予約部１８は、受信予約を実行した放送番組の開始時刻になると、当該放送番組の受信を実行し、受信予約が「視聴予約」であった場合は、受信した放送番組を表示部１４に出力し、受信予約が「録画予約」であった場合は、テレビ１０に外部接続されたＨＤＤ（図示しない）に放送番組を録画する。
【００９８】
（テレビ１０に表示される画面の例）
受信予約システム１の処理において、表示部１４がテレビ１０の画面に表示させる画面の例を、図６および図７を用いて説明する。図６は、本発明の実施形態１に係る受信予約システム１において、予告を表示する旨の操作信号を受け付ける場合にテレビ１０に表示される画面の例である。また、図７は、本発明の実施形態１に係る受信予約システム１において、テレビ１０の画面に表示される予告の例である。
【００９９】
上述したステップＳ１において、例えば、操作信号受付部１６が予告を表示する旨の操作信号を、テレビ１０のメニュー画面において受け付ける場合、図６の（ａ）に示すように、表示部１４は、テレビ１０が備える各機能（例えば、入力切替、番組表表示など）を利用するために表示される各選択項目の１つとして、予告を表示するための選択項目７０を表示する。そして、ユーザが、予告を表示するための選択項目７０を選択する操作（例えば、ユーザがリモコンを操作し、予告を表示するための選択項目７０にカーソルを合わせ、リモコンの決定ボタンを押すなど）をした場合、操作信号受付部１６は、予告を表示する旨の操作信号を受け付けたとする構成としてもよい。
【０１００】
また、例えば、操作信号受付部１６が予告を表示する旨の操作信号を、テレビ１０においてインターネットをする際に表示される初期画面において受け付ける場合、図６の（ｂ）に示すように、表示部１４は、リンク先を示す選択項目の１つとして、予告を表示するための選択項目７０を表示する。そして、ユーザが、予告を表示するための選択項目７０を選択する操作をした場合、操作信号受付部１６は、予告を表示する旨の操作信号を受け付けたとする構成としてもよい。
【０１０１】
続いて、上述したステップＳ６において、例えば、所定の放送局が放送する複数の放送番組を予告する予告画面５０を表示部１４が表示する場合、図７の（ａ）に示すように、表示部１４は、当該放送局が放送する複数の放送番組のそれぞれを特定する各番組特定情報を含む番組リスト５１を表示する。そして、ステップＳ８において、番組リスト５１において選択されている番組特定情報によって特定される放送番組の予告コンテンツを要求する信号をサーバ２０に送信する。このようにして、テレビ１０は、サーバ２０から受信した予告コンテンツ５２を表示する構成としてもよい。
【０１０２】
また、図７の（ａ）に示すように、表示部１４は、詳細表示５３に、コンテンツ情報に含まれる放送番組名、チャンネル番号、放送開始日時、著作権表記を表示する構成としてもよい。なお、詳細表示５３に表示させる情報は上記情報に限らず、コンテンツ情報に含まれる情報は何れも表示できる構成としてもよい。
【０１０３】
また、表示部１４は、コンテンツ情報に含まれる各情報を参照し、該当するコンテンツ情報を抽出し、抽出したコンテンツ情報の番組特定情報を番組リスト５１に表示させるボタンを表示してもよい。例えば、表示部１４は、タグに「おすすめ」を含んでいるコンテンツ情報を抽出して表示するオススメボタン５５、タグに「見逃しキャンペーン」を含んでいるコンテンツ情報を抽出して表示する見逃しキャンペーンボタン５６、タグに「スポーツ」を含んでいるコンテンツ情報を抽出して表示するスポーツボタン６６を表示してもよい。なお、タグを参照し、該当するタグの種類を有するコンテンツ情報を抽出する場合の詳細については、後述する実施形態において説明する。
【０１０４】
また、表示部１４は、コンテンツ情報に含まれる情報以外にも、有料の放送番組への加入を促す広告５４を表示してもよい。
【０１０５】
なお、図７の（ａ）では、番組リスト５１が、番組特定情報に加えて、各番組特定情報によって特定される各放送番組の予告コンテンツを含む構成を例示しているが、これは本実施形態を限定するものではない。番組リスト５１は、予告コンテンツを含まない構成としてもよい。
【０１０６】
番組リスト５１が予告コンテンツを含む構成の場合、テレビ１０は、ステップＳ５の処理の後、ステップＳ５において受信したコンテンツ情報の予告静止画ＵＲＬまたは予告動画ＵＲＬが示すリンク先に、予告コンテンツである予告静止画または予告動画を要求する信号を送信する。そして、テレビ１０は、要求した予告静止画または予告動画を受信した後、ステップＳ６に進み、図７の（ａ）に示す予告コンテンツを含む番組リスト５１を画面に表示する。
【０１０７】
また、上述したステップＳ６において、例えば、複数の放送局の放送番組を予告する予告画面５０を表示部１４が表示する場合、図７の（ｂ）に示すように、表示部１４は、複数の放送局の放送番組のそれぞれを特定する各番組特定情報を含む番組リスト５１を表示する構成としてもよい。
【０１０８】
また、図７の（ａ）において説明したように、表示部１４は、コンテンツ情報に含まれる各情報を参照し、該当するコンテンツ情報を抽出し、抽出したコンテンツ情報の番組特定情報を番組リスト５１に表示させるボタンを表示してもよい。例えば、図７の（ｂ）に示すように、表示部１４は、放送開始日時が今日に該当するコンテンツ情報、放送開始日時が明日に該当するコンテンツ情報、または放送開始日時が明後日に該当するコンテンツ情報を抽出する日付ボタン６０を表示してもよい。また、例えば、表示部１４は、該当する放送局名を含んでいるコンテンツ情報を抽出して表示させる放送局ボタン６１を表示してもよい。
【０１０９】
（予約部１８が受信予約を実行する処理）
受信予約システム１の処理において、予約部１８が放送番組の受信予約を実行する例を、図７、図８、図９、図１０を用いて説明する。図８は、本発明の実施形態１に係る受信予約システム１において、テレビ１０の画面に表示される予告の他の例である。また、図９は、本発明の実施形態１に係る受信予約システム１において、予告画面５０に代えて表示される画面の例である。また、図１０は、本発明の実施形態１に係る受信予約システム１において、テレビ１０の画面に表示される予告紹介画面の例である。
【０１１０】
例えば、表示部１４が、図７の（ａ）に示す予告画面５０を表示している状態において、番組リスト５１に含まれる予告コンテンツのうち、何れかの予告コンテンツを選択する旨の操作信号を操作信号受付部（コンテンツ選択手段）１６が受け付けた場合に、予約部１８は、選択された予告コンテンツが予告する放送番組を受信予約してもよい。
【０１１１】
また、表示部１４が図７の（ｂ）に示す予告画面５０を表示している状態において、コンテンツリスト５１に含まれる予告コンテンツのうち、何れかの予告コンテンツを選択する旨の操作信号を操作信号受付部１６が受け付けた場合に、テレビ１０は、より詳しい番組情報を表示するための番組情報ボタン５７、視聴予約するための視聴予約ボタン５８、録画予約するための録画予約ボタン５９を表示する構成としてもよい。この場合、視聴予約ボタン５８、録画予約ボタン５９を選択する操作を、上述したステップＳ１３における放送番組を受信予約する操作として、操作信号受付部１６は受け付けてもよい。
【０１１２】
また、表示部１４が、図８に示すように、番組リスト５１を含まず、複数の予告コンテンツ５２ａ〜予告コンテンツ５２ｆを含む予告画面５０を表示している場合、表示部１４は、複数表示されている予告コンテンツ５２ａ〜予告コンテンツ５２ｆのうち、フォーカスされている予告コンテンツ５２ａを、予告コンテンツ５２として表示する。なお、フォーカスされている予告コンテンツの変更は、ユーザからフォーカスする予告コンテンツを変更する旨の操作信号（例えば、リモコンのカーソルキーを押すなど）を操作信号受付部１６が受け付けた場合に、表示部１４は、フォーカスする予告コンテンツを変更し、変更後にフォーカスされている予告コンテンツを、予告コンテンツ５２に表示する。また、図８において、表示部１４は、予告コンテンツ５２ａ〜予告コンテンツ５２ｆとして静止画像を表示し、予告コンテンツ５２として、フォーカスされている予告コンテンツ５２ａの動画像を表示してもよい。
【０１１３】
図８に示す状態において、ユーザから予告コンテンツを選択する旨の操作信号（例えば、リモコンの決定ボタンを押すなど）を操作信号受付部１６が受け付けた場合に、予約部１８は、選択された予告コンテンツが予告する放送番組を受信予約してもよい。また、表示部１４は、図８に示すように、受信予約するための操作をユーザに知らせるテキスト６５を表示してもよい。
【０１１４】
このように、テレビ１０は、フォーカスされた予告コンテンツをユーザに提示し、当該フォーカスされた予告コンテンツを選択する旨の指示（決定ボタンを押すなど）を受け付けた場合に、当該フォーカスされた予告コンテンツを選択する。
【０１１５】
なお、本明細書において「フォーカス」するとは、単に対象を強調表示すること指しており、「選択」とは異なった意味で用いられる。
【０１１６】
（テレビ１０が備える視聴予約および録画予約を実行する画面を表示する例）
また、表示部１４が図７の（ｂ）に示す予告画面５０を表示している状態において、コンテンツリスト５１に含まれる予告コンテンツのうち、何れかの予告コンテンツを選択する旨の操作信号を操作信号受付部１６が受け付け、表示した視聴予約ボタン５８または録画予約ボタン５９を選択された旨の操作信号を操作信号受付部１６が受け付けた場合に、表示部１４は、図９に示すように、テレビ１０が備える視聴予約および録画予約を実行する画面７１を予告画面５０に代えて表示してもよい。
【０１１７】
なお、テレビ１０が備える視聴予約および録画予約を実行する画面７１は、詳細表示５３、録画予約を視聴予約に変更する変更ボタン６６、録画日を変更する録画日ボタン６７、録画する画質を選択する画質ボタン６８、および放送番組の放送開始日時または放送終了日時が変更になった場合に、自動的に変更後の放送開始日時または放送終了日時において録画を実行するか否かを選択する延長ボタン６９を備えてもよい。また、画面７１に含まれる詳細表示５３、録画日、開始時刻、終了時刻は、テレビ１０が受信したコンテンツ情報に含まれる情報を表示する構成であっても、テレビ１０がＥＰＧから取得した情報を表示する構成であってもよい。
【０１１８】
また、画質ボタン６８によって選択可能な画質の例として、以下が挙げられるが、これらに限定されるものではない。
【０１１９】
・放送される画質をそのまま録画する「ＤＲ」（「標準」とも称する）
・ＤＲと比較して録画時間が約２倍になる「２倍」
・ＤＲと比較して録画時間が約３倍になる「３倍」
・ＤＲと比較して録画時間が約５倍になる「５倍」
なお、テレビ１０は、「ＤＲ」と「５倍」との間を更に細分化した画質を選択可能な構成であってもよく、その場合は、ＤＲと比較した録画時間ではなく、録画した後の動画のサイズを設定することにより、録画する画質を決定してもよい。
【０１２０】
また、表示部１４が、図８に示す予告画面５０を表示している場合、ユーザから予告コンテンツを選択する旨の操作信号（例えば、リモコンの決定ボタンを押すなど）を操作信号受付部１６が受け付けた場合に、表示部１４は、図９に示すように、テレビ１０が備える視聴予約および録画予約を実行する画面７１を予告画面５０に代えて表示してもよい。
【０１２１】
このように、テレビ１０が受信予約を受け付ける画面は予告画面５０に限定されず、予告画面５０とは異なる画面において、受信予約を受け付ける構成であってもよい。
【０１２２】
（詳細表示５３を表示する例）
また、テレビ１０は、表示部１４が図７の（ｂ）に示す予告画面５０を表示している状態において、コンテンツリスト５１に含まれる予告コンテンツのうち、何れかの予告コンテンツを選択する旨の操作信号を操作信号受付部１６が受け付け、さらに、操作信号受付部１６が番組情報ボタン５７を選択された旨の操作信号を受け付けた場合に、図１０の（ｂ）に示すように、コンテンツ情報に含まれる予告紹介文のテキストを、詳細表示５３に表示することが好適である。
【０１２３】
また、図１０の（ａ）に示すように、番組リスト５１を表示せず、複数の予告コンテンツ５２ａ〜予告コンテンツ５２ｆを含む予告画面５０を表示している場合、ユーザから予告コンテンツを選択する旨の操作信号（例えば、リモコンの決定ボタンを押すなど）を操作信号受付部１６が受け付けた場合に、表示部１４は、図１０の（ｂ）に示すように、詳細表示５３を表示する構成であってもよい。なお、表示部１４は、図１０の（ａ）に示すように、受信予約するための操作をユーザに知らせるテキスト６５ａを表示してもよい。
【０１２４】
また、操作信号受付部１６が、番組情報ボタン５７が選択された旨の操作信号を受け付けた場合、テレビ１０は、放送番組を紹介するテキストが含まれる放送局のｗｅｂサイトや、放送番組の告知サイトを表示する構成であってもよい。この場合、コンテンツ情報に含まれる予告紹介文を、放送局のｗｅｂサイトや放送番組の告知サイトのＵＲＬにすることにより、テレビ１０は上記構成を実現することができる。
【０１２５】
このように、表示部１４は、複数の予告コンテンツを表示し、予約部１８は、１又は複数の所定の条件が満たされた場合に、当該選択された予告コンテンツが予告する放送番組の受信予約を実行するものである。ここで、上記１又は複数の所定の条件には、何れかの予告コンテンツを選択する旨の操作信号を受け付けたこと（条件Ａとも呼ぶ）が含まれる。
【０１２６】
また、上記１又は複数の所定の条件には、上記条件Ａに加え、操作信号受付部１６が、視聴予約ボタン５８または録画予約ボタン５９を選択された旨の操作信号を受け付けたこと（条件Ｂとも呼ぶ）が含まれてもよい。
【０１２７】
また、上記１又は複数の所定の条件には、上記条件Ａおよび上記条件Ｂに加えて、予告画面５０とは異なる画面において、操作信号受付部１６が、放送番組を受信予約する旨の操作信号を受け付けたこと（条件Ｃとも呼ぶ）が含まれていてもよい。
【０１２８】
また、図７の（ａ）における番組リスト５１において選択された番組特定情報の予告コンテンツ５２が表示されている期間中に、再度、当該番組特定情報を選択する操作を操作信号受付部１６が受け付けた場合、当該操作を上述したステップＳ１３における放送番組を受信予約する操作として、受け付けてもよい。
【０１２９】
また、テレビ１０は、操作信号受付部１６が視聴予約ボタン５８または録画予約ボタン５９を選択された旨の操作信号を受け付けた場合、放送番組の受信予約を複数回実行する構成であってもよい。例えば、コンテンツ情報に複数回を示す連続予約という項目をさらに含めることにより、テレビ１０が連続予約が示す回数の受信予約を実行する構成が挙げられる。複数回の例として、「毎月」、「毎週火曜日全４回」「次回○月○日△時□分」などが挙げられる。こうすることにより、テレビ１０は、複数日や複数の時間帯に亘って放送される連続ドラマや特集番組の受信予約を１回の操作信号の受け付けによって、実現することができる。このとき、テレビ１０は、連続予約であるか１回だけの予約であるかをユーザが選択可能な構成であることが好ましく、例えば、テレビ１０は、視聴予約ボタン５８または録画予約ボタン５９を選択された後、「毎回」、「今回のみ」といった、受信予約を複数回実行するか否かを選択する操作ボタンを表示してもよい。
【０１３０】
また、連続予約の別例として、コンテンツ情報に、１つの予告情報に対して複数の受信予約情報を含める構成が挙げられる。例えば、毎週火曜の２１時から放送を開始する１３回連続の１時間ドラマの場合、コンテンツ情報における１つの予告情報に対して、１３回分の受信予約情報が含まれるか、又は関連づけられている構成であってもよい。
【０１３１】
このように、本実施形態に係る受信予約システム１では、テレビ１０は、サーバ２０から、送信可能な期間に該当する予告コンテンツを、ユーザが所望するタイミングで受信し、表示することができる。また、テレビ１０は、表示している予告コンテンツが予告する放送番組の受信予約をすることができる。さらに、テレビ１０は、受信予約可能な放送番組を同時に複数表示することができ、ユーザに受信予約する放送番組を選択させることができる。したがって、テレビ１０は、ユーザに対し、ユーザが所望するタイミングで予告コンテンツを提示すると共に、当該予告コンテンツに関連付けられた放送番組の受信予約を行うことができる。
【０１３２】
なお、本実施形態では、ステップＳ８において、テレビ１０は、選択された番組特定情報の予告コンテンツを要求する信号をサーバ２０に送信し、ステップＳ１０において、サーバ２０は、予告コンテンツをテレビ１０に送信したが、サーバ２０は、ステップＳ４において、コンテンツ情報と番組リストとを送信するときに、番組リストに関連付けられている予告コンテンツを送信する構成であってもよい。こうすることにより、何れかの予告コンテンツが表示された予告画面を表示することができ、ユーザの興味を引きやすくなる。さらに、テレビ１０とサーバ２０との間における通信回数を減らすことができるので、テレビ１０およびサーバ２０の処理の負荷を軽くすることができる。
【０１３３】
また、サーバ２０は、複数のサーバによって構成されてもよい。例えば、サーバ通信部２１、予告コンテンツ送信部２２、予告コンテンツ記憶部２３、およびサーバ受信部２４、を備えるサーバＡと、サーバ通信部２１、サーバ受信部２４、コンテンツ情報管理部２５、コンテンツ情報記憶部２６、サーバ送信部２７、および番組リスト生成部２８を備えるサーバＢとで構成されてもよい。
【０１３４】
サーバ２０が上記サーバＡと上記サーバＢによって構成される場合、テレビ１０は、コンテンツ情報および番組リストはサーバＡから受信し、予告コンテンツはサーバＢから受信する構成となる。この構成は、予告情報に含まれる予告静止画ＵＲＬおよび予告動画ＵＲＬが示すリンク先をサーバＢにすることにより、実現できる。
【０１３５】
また、テレビ１０が備える各部をサーバ２０が備える構成、およびサーバ２０が備える各部をテレビ１０が備える構成であってもよい。例えば、番組リスト生成部２８を、テレビ１０が備え、テレビ１０はサーバ２０からコンテンツ情報を取得し、取得したコンテンツ情報から、テレビ１０が備える番組リスト生成部２８が番組リストを生成してもよい。
【０１３６】
このように、テレビ１０およびサーバ２０が備える各部は、図１に示すブロック図に限定されず、適宜組み合わせて受信予約システム１を実現することができる。
【０１３７】
（受信予約システム１のハードウェアの構成）
図１１は、本発明の実施形態１に係る受信予約システム１のハードウェア構成の概略を示すブロック図である。
【０１３８】
（テレビ１０のハードウェア構成）
図１１に示すように、テレビ１０は、通信部１１０、制御部１２０、記憶部１３０、放送番組受信部１４０、表示部１７０、および操作部１８０を備えている。
【０１３９】
通信部１１０は、ネットワーク２を介して、テレビ１０とサーバ２０とを通信可能に接続するためのインターフェースであり、テレビ通信部１１の機能を実現するためのものである。
【０１４０】
制御部１２０として利用可能なデバイスとしては、ＣＰＵ（Central Processing Unit）を挙げることができる。また、記憶部１３０は、主記憶部および補助記憶部を備えている。記憶部１３０の主記憶として利用可能なデバイスとしては、例えば、半導体ＲＡＭ（random access memory）を挙げることができる。また、記憶部１３０の補助記憶部として利用可能なデバイスとしては、例えば、ハードディスクドライブ（ＨＤＤ）を挙げることができる。
【０１４１】
記憶部１３０の補助記憶部には、テレビ１０として動作させるための制御プログラムが格納されている。制御プログラムは、上述したテレビ制御部１２の機能を実現するためのプログラムである。また、記憶部１３０の補助記憶部には、テレビ１０が受信した放送番組を記憶することも可能である。また、テレビ１０が受信した放送番組を記憶する補助記憶部は、テレビ１０に内蔵されている構成に限定されず、例えば、ＵＳＢを介して接続されるハードディスクドライブ（ＨＤＤ）であってもよい。
【０１４２】
制御部１２０は、記憶部１３０の主記憶部上に制御プログラムを展開し、展開された制御プログラムに含まれる各種の命令を実行することによって、上述したテレビ制御部１２の機能を実現する。
【０１４３】
放送番組受信部１４０は、放送される放送番組を受信する装置であり、放送番組受信部１４０として利用可能なデバイスとしては、チューナを挙げることができる。
【０１４４】
表示部１７０は、制御部１２０から出力された画像信号が示す画像を表示する装置である。
【０１４５】
操作部１８０は、テレビ１０に対するユーザ操作を受け付けるためのユーザインターフェースである。操作部１８０として利用可能なデバイスとして、ハードキー、スイッチなどが挙げられる。
【０１４６】
（サーバ２０のハードウェア構成）
図１１に示すように、サーバ２０は、通信部２１０、制御部２２０、および記憶部２３を備えている。
【０１４７】
通信部２１０は、ネットワーク２を介して、サーバ２０とテレビ１０とを通信可能に雪像するためのインターフェースである。
【０１４８】
制御部２２０として利用可能なデバイスとしては、ＣＰＵを挙げることができる。また、記憶部２３０は、主記憶部および補助記憶部を備えている。記憶部２３０の主記憶として利用可能なデバイスとしては、例えば、半導体ＲＡＭ（random access memory）を挙げることができる。また、記憶部１３０の補助記憶部として利用可能なデバイスとしては、例えば、ハードディスクドライブ（ＨＤＤ）を挙げることができる。
【０１４９】
記憶部２３０の補助記憶部には、サーバ２０として動作させるための制御プログラムが格納されている。制御プログラムは、上述したサーバ制御部２９の機能を実現するためのプログラムである。
【０１５０】
制御部２２０は、記憶部２３０の主記憶部上に制御プログラムを展開し、展開された制御プログラムに含まれる各種の命令を実行することによって、上述したサーバ制御部２９の機能を実現する。
【０１５１】
〔実施形態２〕
本発明の他の実施形態について、図１２に基づいて説明すれば、以下のとおりである。
【０１５２】
テレビ１０は、受信予約した放送番組の番組特定情報が、表示する番組リストに含まれる場合、受信予約した放送番組の番組特定情報は、受信予約済であることを表示してもよい。
【０１５３】
図１２は、本発明の実施形態２に係る受信予約システム１の処理を示すシーケンス図である。ステップＳ１〜Ｓ１４は、実施形態１において説明した処理と同じため、説明を省略する。また、コンテンツ情報記憶部２６に記憶されているコンテンツ情報は、図３に記載の項目に加えて、受信予約されているか否かを示す受信予約済情報と、端末を特定する端末特定ＩＤとを備えている構成とする。
【０１５４】
（ステップＳ２１）
予約部１８は、受信予約した放送番組を示す情報を、予約済情報送信部１７に出力する。予約済情報送信部１７は、予約部１８から取得した情報が示す放送番組が予約済であることを示す予約済情報と、テレビ１０を特定する端末特定情報とを、テレビ通信部１１を介してサーバ２０に送信する。
【０１５５】
（ステップＳ２２）
サーバ２０のサーバ受信部２４は、サーバ通信部２１を介して、テレビ１０が送信した予約済情報と端末特定情報とを、受信する。サーバ受信部２４は、受信した予約済情報と端末特定情報とを、コンテンツ情報管理部２５に出力する。
【０１５６】
（ステップＳ２３）
コンテンツ情報管理部２５は、サーバ受信部２４から、予約済情報と端末特定情報とを取得すると、予約済情報が示す放送番組のコンテンツ情報を、コンテンツ情報記憶部２６から取得する。コンテンツ情報管理部２５は、取得したコンテンツ情報の受信予約済情報を、受信予約されていることを示す予約済に変更し、端末特定ＩＤを、取得した端末特定情報に変更し、変更したコンテンツ情報を、コンテンツ情報記憶部２６に記憶し、コンテンツ情報を更新する。
【０１５７】
このように、本実施形態に係る受信予約システム１では、テレビ１０は、受信予約した放送番組が受信予約済であることを示す予約済情報と、端末を特定する端末特定情報とを、サーバ２０に送信する。また、サーバ２０は、予約済情報と端末特定情報とを受信すると、予約済情報が示す放送番組のコンテンツ情報を更新する。したがって、テレビ１０は、受信したコンテンツ情報と番組リストとを参照し、番組リストに含まれる番組特定情報が受信予約済であるか否かを判定することができ、また、受信予約済であることを示すテキスト（例えば、「視聴予約済み」、「録画予約済み」など）やアイコンを表示することができる。
【０１５８】
なお、テレビ１０も、放送番組が受信予約済であるか否かを判定することができる。このため、コンテンツ情報に受信予約済情報を含めない構成としてもよい。この場合、テレビ１０が番組リストを表示する際に、放送番組が受信予約済であることを示すテキストやアイコンをテレビ１０が表示する構成であってもよい。この場合、テレビ１０は、受信予約済の放送番組の予告コンテンツを再度表示した場合、視聴予約ボタン５８および録画予約ボタン５９をグレーアウトすることにより、選択できない旨を示す構成が好ましい。
【０１５９】
また、上述したステップＳ４において、番組リスト生成部２８は、番組リストを作成するときに、番組リストに含まれる番組特定情報によって特定される放送番組のコンテンツ情報が受信予約済である場合、当該放送番組が受信予約済であることを示す受信予約済情報を、番組リストおよびコンテンツ情報とともにサーバ送信部２７に出力し、サーバ送信部２７は、取得した受信予約済情報、番組リスト、およびコンテンツ情報をテレビ１０に送信する構成としてもよい。
【０１６０】
〔実施形態３〕
本発明の他の実施形態について、図１３および図１４に基づいて説明すれば、以下のとおりである。
【０１６１】
図１３は、本発明の実施形態３に係る受信予約システム１において、テレビ１０の画面に表示される予告画面５０の一例である。また、図１４は、本発明の実施形態３に係る受信予約システム１において、テレビ１０の画面に表示される予告画面５０の別の一例である。
【０１６２】
上述の実施形態において説明したように、表示部１４は、特定の条件を満たす付加情報に関連付けられた番組特定情報よりなる番組リストを表示してもよい。
【０１６３】
例えば、図１３の（ａ）に示すように、表示部１４は、予告画面５０において、テレビ１０が放送可能な放送局を選択させる選択項目を含む放送局ボタン６１を表示する。そして、操作信号受付部１６は、「ＥＥテレビ」が選択されたことを示す操作信号を受け付けた場合、操作信号を表示部１４に出力する。表示部１４は、操作信号が示す選択された放送局「ＥＥテレビ」を、コンテンツ情報の放送局名に含むコンテンツ情報を抽出する。そして、図１３の（ｂ）に示すように、表示部１４は、抽出したコンテンツ情報の番組特定情報を含む番組リスト５１を、予告画面５０に表示する。また、この場合、予告画面５０を、視聴者に日付を選択させる選択項目を含む日付ボタン６０を表示させる日付別ボタン６２を表示させてもよい。
【０１６４】
また、例えば、図１４に示すように、予告画面５０を表示する際に、放送局ボタン６１を表示してもよい。そして、操作信号受付部１６は、「全て」が選択されたことを示す操作信号を受け付けた場合、表示部１４は、コンテンツ情報は抽出せず、図１４（ｂ）に示すように、全ての放送局の放送番組の番組特定情報を含む番組リスト５１を表示させる。
【０１６５】
このように、本実施形態に係る受信予約システム１では、テレビ１０は、視聴者に選択されたという特定の条件を満たす付加情報に関連付けられた番組特定情報を抽出し、週出下番組特定情報よりなる番組リストを表示する。したがって、テレビ１０は、ユーザの嗜好に合った予告を表示することができる。
【０１６６】
また、抽出する処理は、サーバ２０が行ってもよい。例えば、コンテンツ情報管理部２５が、コンテンツ情報記憶部２６からコンテンツ情報を取得する処理（ステップＳ４）において、コンテンツ情報管理部２５は、実施形態２において説明したコンテンツ情報の受信予約と端末特定ＩＤとを参照して、コンテンツ情報を取得する構成としてもよい。例えば、サーバ２０は、予告を表示する旨の要求信号を送信した放送受信端末から端末特定情報を取得し、コンテンツ情報管理部２５は、取得した端末特定情報を含み、受信予約されたコンテンツ情報をコンテンツ情報記憶部２６から取得する。コンテンツ情報管理部２５は、取得したコンテンツ情報が特定のジャンルを含むものが多い場合、当該特定のジャンルを含むコンテンツ情報をコンテンツ情報記憶部２６から取得する構成としてもよい。
【０１６７】
〔実施形態４〕
本発明の他の実施形態について、図１５に基づいて説明すれば、以下のとおりである。
【０１６８】
図１５は、本発明の実施形態４に係る受信予約システム１において、テレビ１０の画面に表示される予告画面５０の一例である。
【０１６９】
図１５の（ａ）に示すように、テレビ１０は、放送局を選択させる選択項目を含む放送局別ボタン６３を表示してもよい。図１５の（ａ）において、操作信号受付部１６は、放送局別ボタン６３を選択されたことを示す操作信号を受け付けた場合、表示部１４は、図１５の（ｂ）に示すように、放送局ボタン６１を表示する。また、図１５の（ｂ）において、操作信号受付部１６は、日付別ボタン６２を選択されたことを示す操作信号を受け付けた場合、表示部１４は、図１５の（ａ）に示すように、日付ボタン６０を表示する。
【０１７０】
このように、本実施形態に係る受信予約システム１では、テレビ１０は、予告画面５０において、コンテンツ情報を抽出するために利用される付加情報を視聴者に選択させるボタンを表示する。したがって、テレビ１０は、視聴者の嗜好に合った予告を表示することができる。
【０１７１】
〔実施形態５〕
本発明の他の実施形態について説明する。
【０１７２】
上述の実施形態では、テレビ１０から予告を表示する旨の要求信号をサーバ２０に送信したが、サーバ２０は、テレビ１０から予告を表示する旨の要求信号を受信しなくても、コンテンツ情報と番組リストとをテレビ１０に送信する構成としてもよい。
【０１７３】
例えば、サーバ２０が、所定時間（例えば、１時間、１日、１週間など）が経過すると、コンテンツ情報と番組リストとを、テレビ１０に送信する構成とする。この場合、テレビ１０は、例えば、図６の（ａ）に示すメニュー画面を表示した場合、予告を表示するための選択項目７０に、予告画面５０を表示させる構成としてもよい。また、この場合、サーバ２０は、上述した受信予約情報と端末特定情報とを参照し、当該端末特定情報によって特定された端末に送信するコンテンツ情報と番組リストとを決定してもよい。サーバ２０が送信するコンテンツ情報と番組リストとを決定する方法として、例えば、当該端末が特定の放送局の放送番組を受信予約している場合は、当該特定の放送局の放送番組のコンテンツ情報を、他の放送局のコンテンツ情報に比べて多く送信したり、当該特定の放送局の放送番組の番組特定情報を含む番組リストを送信したりする方法が挙げられる。
【０１７４】
このように、本実施形態に係る受信予約システム１では、サーバ２０は、テレビ１０の視聴者がこれまで受信予約した放送番組を参照し、コンテンツ情報と番組リストとを送信する。したがって、テレビ１０は、視聴者の嗜好により適切に合った予告を表示することができる。
【０１７５】
〔実施形態６〕
本発明の他の実施形態について、図１６に基づいて説明すれば、以下のとおりである。
【０１７６】
図１６は、本発明の実施形態６に係る受信予約システム１において、テレビ１０の画面に表示される予告画面５０の一例である。
【０１７７】
図１６の（ａ）において、操作信号受付部１６は、録画予約５９が選択されたことを示す操作信号を受け付けた場合、表示部１４は、選択されている番組特定情報によって特定される放送番組のコンテンツ情報の契約情報を参照する。当該契約情報が、選択されている番組特定情報によって特定される放送番組を視聴できない契約情報だった場合、表示部１４は、図１６の（ｂ）に示すように、テレビ１０の設定が、当該放送番組を録画予約できない旨を示すテキスト６４を表示する。
【０１７８】
このように、本実施形態に係る受信予約システム１では、テレビ１０は、コンテンツ情報に含まれる契約情報を参照することにより、表示しているコンテンツ情報の放送番組が視聴できるか否かを判定する。したがって、テレビ１０は、視聴者に対して、視聴できない放送番組は視聴予約および録画予約できない旨を知らせることができる。また、テレビ１０は、視聴できない放送番組を視聴予約および録画予約することを防ぐことができる。
【０１７９】
〔実施形態７〕
テレビ１０のテレビ制御部１２は、集積回路（ＩＣチップ）等に形成された論理回路（ハードウェア）によって実現してもよいし、ＣＰＵを用いてソフトウェアによって実現してもよい。
【０１８０】
後者の場合、テレビ１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１８１】
〔実施形態８〕
本発明の他の実施形態について、図１７〜図２１に基づいて説明すれば、以下のとおりである。
【０１８２】
図１８は、本発明の実施形態８に係る受信予約システム１ａを模式的に示す図である。図１８に示すように、受信予約システム１ａは、サーバ２０、テレビ１０ａ、およびレコーダ８０によって構成されている。受信予約システム１ａを構成するサーバ２０、テレビ１０ａ、およびレコーダ８０の詳細な構成について、図１７を用いて説明する。
【０１８３】
図１７は、本発明の実施形態８に係る受信予約システム１ａの構成を示すブロック図である。受信予約システム１ａにおいて、サーバ２０の構成は、上述した実施形態１と同じ構成であるため、説明は省略する。受信予約システム１ａでは、テレビ１０ａが受信する放送番組の予告コンテンツを、サーバ２０がネットワーク２を介してテレビ１０ａに送信（配信）し、テレビ１０ａは受信した予告コンテンツを画面に表示する。そして、テレビ１０ａは、当該放送番組の受信予約を受け付け、レコーダ８０を制御する制御信号を送信することにより、レコーダ８０に当該放送番組の受信予約を指示する。
【０１８４】
（テレビ１０ａの構成）
テレビ１０ａは、実施形態１におけるテレビ１０が備える各部に加えて、テレビ外部機器通信部１０１を備えている。また、実施形態１におけるテレビ制御部１２に替えて、テレビ制御部１２ａを備えている。
【０１８５】
テレビ外部機器通信部１０１は、レコーダ８０とデータの送受信をすることができる機能を備えている。テレビ外部機器通信部１０１のインターフェースとして、ＨＤＭＩ（High Definition Multimedia Interface）（登録商標）を挙げることができる。
【０１８６】
テレビ制御部１２ａは、実施形態１におけるテレビ制御部１２の予約済情報送信部１７および予約部１８に替えて、テレビ外部機器通信制御部１０２および予約指示部（受信予約指示手段）１０３として機能する。
【０１８７】
テレビ外部機器通信制御部１０２は、テレビ外部機器通信部１０１を介する通信を制御する。
【０１８８】
予約指示部１０３は、上記放送番組を受信予約する旨の操作信号を受け付けた場合に、レコーダ８０に対して放送番組の受信予約を実行する旨の受信予約指示を行う。
【０１８９】
（レコーダ８０の構成）
レコーダ８０は、図１７に示すように、レコーダ外部機器通信部８１、レコーダ制御部８２、レコーダ受信部８６およびレコーダ記憶部８７を備えている。
【０１９０】
レコーダ外部機器通信部８１は、テレビ１０ａとデータの送受信をすることができる機能を備えている。また、レコーダ外部機器通信部８１のインターフェースとして、ＨＤＭＩを挙げることができる。
【０１９１】
レコーダ受信部８６は、放送波を介して放送番組を受信することができる。また、後述する予約部８４が受信予約を実行した放送番組の開始時刻になると、当該放送番組の受信を実行し、受信した放送番組をレコーダ記憶部８７に出力する。
【０１９２】
レコーダ記憶部８７は、レコーダ受信部８６から取得する放送番組のデータを記憶する。
【０１９３】
レコーダ制御部８２は、レコーダ８０の各構成を統括的に制御するものである。レコーダ制御部８２の詳細について、以下に説明する。
【０１９４】
（レコーダ制御部８２）
レコーダ制御部８２は、レコーダ外部機器通信制御部（受信予約受付手段）８３、予約部８４、および予約済情報送信部８５としても機能する。
【０１９５】
レコーダ外部機器通信制御部８３は、レコーダ外部機器通信部８１１を介する通信を制御する。
【０１９６】
予約部８４は、放送番組を受信する旨の受信予約指示を受け付けた場合に、当該放送番組の受信予約を実行する。予約部８４は、受信予約指示を受け付けた場合に取得する受信予約情報を参照することにより受信予約を実行するが、さらに、ＥＰＧを利用してもよい。
【０１９７】
予約済情報送信部８５は、レコーダ８０が放送番組を受信予約した場合、当該放送番組を受信予約したことを示す予約済情報を出力する。
【０１９８】
（受信予約システム１ａの処理）
図１９は、本発明の実施形態８に係る受信予約システム１ａの処理を示すシーケンス図である。受信予約システム１ａの処理について、図１９を用いて説明する。
【０１９９】
まず、テレビ１０ａが予告を表示する旨の操作信号を受け付けるステップＳ１から、放送番組を受信予約する旨の操作信号を受け付けるステップＳ１３までの処理は、上述した実施形態と同じ処理であるため、説明を省略する。
【０２００】
（ステップＳ３１）
ステップＳ１３において、操作信号受付部１６が放送番組を受信予約する旨の操作信号を受け付けると、表示部１４は、録画を実行する装置がテレビであるかまたはレコーダであるかを入力するように促す画面を表示する。この場合に、表示部１４が表示する画面の例を、図２０の（ａ）に示す。
【０２０１】
図２０は、本発明の実施形態１に係る受信予約システムにおいて、予告画面５０に代えて表示される画面の例である。表示部１４は、ステップＳ３１において、図２０の（ａ）に示すように、録画を実行する装置はテレビであるか、またはレコーダであるかを入力するように促す画面７２を表示する。なお、画面７２は、予告画面５０の代わりに表示する構成ではなく、例えば、図７に示す予告画面５０または図１４に示す予告画面５０に、録画を実行する装置はテレビであるか、またはレコーダであるかを入力するように促す画像を重畳して表示してもよい。なお、テレビ１０ａが録画機能を備えていない場合、表示部１４は、録画を実行する装置はテレビであるか、またはレコーダであるかを入力するように促す画面を表示しない構成であってもよい。
【０２０２】
操作信号受付部１６は、録画する装置をレコーダにする旨の操作信号を受け付けると、当該操作信号を、予約指示部１０３に出力する。
【０２０３】
（ステップＳ３２）
予約指示部１０３は、録画する装置をレコーダにする旨の操作信号を取得すると、放送番組を受信予約する旨の受信予約指示を、テレビ外部機器通信制御部１０２に対して行う。その際、予約指示部１０３は、コンテンツ情報に含まれる受信予約情報を、テレビ外部機器通信制御部１０２に出力する。テレビ外部機器通信制御部１０２は、受信予約指示を受け付けると、テレビ外部機器通信部１０１を介してレコーダ８０に受信予約指示を行う。そして、テレビ１０ａは、レコーダ８０が出力する画像を表示するため、テレビ１０ａの入力切換を行う。なお、ステップＳ３２において、テレビ１０ａは、受信予約指示を行うと共に、レコーダ８０が受信予約指示を受け付けることができる状態になるように制御する信号を出力する構成であってもよい。例えば、レコーダ８０は電源ＯＦＦの場合は受信予約指示を受け付けることができない場合、テレビ１０ａは、受信予約指示を行うと共に、レコーダ８０の電源をＯＮにする制御信号を出力してもよい。レコーダ８０は、当該制御信号を取得すると、自装置の電源をＯＮにし、受信予約指示を受け付けることができる状態へと遷移する。
【０２０４】
（ステップＳ３３）
レコーダ外部機器通信制御部８３は、レコーダ外部機器通信部８１を介して、テレビ１０ａから受信予約指示を受け付ける。そして、レコーダ外部機器通信制御部８３は、予約部８４に対して、受信予約指示を行う。
【０２０５】
（ステップＳ３４）
予約部８４は、レコーダ外部機器通信制御部８３から受信予約指示を受け付けると、受信予約指示と共に取得する受信予約情報を参照して、放送番組の受信予約を実行する。ステップＳ３４において、表示部１４は、図２０の（ｂ）に示すように、レコーダ８０から出力された、レコーダ８０が備える録画予約の画面７３を表示する。レコーダ８０が備える録画予約の画面７３は、図９を用いて説明した画面７１と同様、詳細表示５３、変更ボタン６６、録画日ボタン６７、画質ボタン６８、および延長ボタン６９を備える構成であってもよい。また、レコーダ８０から出力された画面７３に対するユーザからの操作を、テレビ１０ａの操作信号受付部１６が受け付ける構成であってもよい。例えば、ユーザがテレビ１０ａのリモコンを操作することにより、操作信号受付部１６が操作を受け付け、受け付けた操作を示す制御信号をテレビ１０ａがレコーダ８０に送信する。また、レコーダ８０は、テレビ１０ａから送信された制御信号に応じた動作を行う。こうすることにより、ユーザは、テレビ１０ａのリモコンを操作することによってレコーダ８０を制御することができる。
【０２０６】
（ステップＳ３５）
続いて、予約部８４は、受信予約した放送番組を示す情報を予約済情報送信部８５に出力する。予約済情報送信部８５は、予約部８４から取得した情報が示す放送番組が予約済であることを示す予約済情報と、レコーダ８０を特定する端末特定情報とを、レコーダ外部機器通信制御部８３に出力する。レコーダ外部機器通信制御部８３は、取得した予約済情報と端末特定情報とを、レコーダ外部機器通信部８１を介して送信する。
【０２０７】
（ステップＳ３６）
テレビ外部機器通信制御部１０２は、テレビ外部機器通信部１０１を介して、予約済情報と端末特定情報とを受信する。なお、テレビ１０ａは、テレビ外部機器通信制御部１０２において予約済情報と端末特定情報とを受信した場合、レコーダ８０において受信予約は実行されたと判断し、入力切換を行い、予告画面５０を表示してもよい。
【０２０８】
（ステップＳ３７）
テレビ外部機器通信制御部１０２は、取得した予約済情報と端末特定情報とを、テレビ通信部１１を介してサーバ２０に送信する。
【０２０９】
（ステップＳ３８）
サーバ受信部２４は、サーバ通信部２１を介して、テレビ１０が送信した予約済情報と端末特定情報とを受信する。そして、サーバ受信部２４は、受信した予約済情報と端末特定情報とを、コンテンツ情報管理部２５に出力する。
【０２１０】
（ステップＳ３９）
コンテンツ情報管理部２５は、サーバ受信部２４から予約済情報と端末特定情報とを取得すると、予約済情報が示す放送番組のコンテンツ情報を、コンテンツ情報記憶部２６から取得する。コンテンツ情報管理部２５は、取得したコンテンツ情報の受信予約済情報を、受信予約されていることを示す予約済に変更し、端末特定ＩＤを、取得した端末特定情報に変更し、変更したコンテンツ情報をコンテンツ情報記憶部２６に記憶する。
【０２１１】
なお、レコーダ８０がネットワーク２を介してサーバにデータを送信できる構成である場合、ステップＳ３５において、レコーダ８０は、予約済情報と端末特定情報とを、サーバ２０に送信する構成であってもよい。
【０２１２】
（放送番組を受信予約した受信予約機器を表示する方法）
続いて、上記ステップＳ３９においてコンテンツ情報を更新した後、再び当該コンテンツ情報を送信する場合に、当該コンテンツ情報の放送番組をレコーダ８０が受信予約済であることを、表示部１４に表示する方法について、図２１を用いて説明する。図２１は、本発明の実施形態８に係る受信予約システム１ａにおいて、コンテンツ情報記憶部が記憶する機器対応テーブルを示す図である。
【０２１３】
まず、コンテンツ情報記憶部２６に、図２１に示す機器対応テーブルを事前に設定する。機器対応テーブルは、予告コンテンツを受信する機器を特定する予告コンテンツ受信機器ＩＤと、複数の受信予約機器をそれぞれ特定する複数の受信予約機器ＩＤとを含んでいる。
【０２１４】
例えば、予告コンテンツを受信する機器がＩＤ「０３Ｄ０３１１」のテレビであり、録画する機器も同じくＩＤ「０３Ｄ０３１１」のテレビの場合、図２１に示す機器対応テーブルの２列目のように、予告コンテンツ受信機器ＩＤに「０３Ｄ０３１１」、受信予約機器ＩＤ１に「０３Ｄ０３１１」を事前に設定する。
【０２１５】
また、予告コンテンツを受信する機器がＩＤ「Ａ８Ｆ１３３」のテレビであり、録画する機器がＩＤ「１０２３９７５Ｇ」のレコーダの場合、図２１に示す機器対応テーブルの３列目のように、予告コンテンツ受信機器ＩＤに「Ａ８Ｆ１３３」、受信予約機器ＩＤ１に「１０２３９７５Ｇ」を事前に設定する。
【０２１６】
また、予告コンテンツを受信する機器がＩＤ「０ｘＤ−００４５」のテレビであり、録画する機器がＩＤ「０４Ｆ００７９」のテレビと、「８５７５５９３３８４」のレコーダとである場合、図２１に示す機器対応テーブルの４列目のように、予告コンテンツ受信機器ＩＤに「０ｘＤ−００４５」、受信予約機器ＩＤ１に「０４Ｆ００７９」、受信予約機器ＩＤ２に「８５７５５９３３８４」を設定する。
【０２１７】
上述したステップＳ４において、サーバ２０がテレビ１０ａにコンテンツ情報を送信する際に、コンテンツ情報管理部２５は、取得したコンテンツ情報に含まれている受信予約済情報を参照する。次に、コンテンツ情報管理部２５は、参照した受信予約済情報が予約済であることを示す場合、取得したコンテンツ情報に含まれる端末特定ＩＤを参照する。続いて、コンテンツ情報管理部２５は、参照した端末特定ＩＤが機器対応テーブルに設定されている受信予約機器ＩＤと一致するか否かを判定する。
【０２１８】
コンテンツ情報管理部２５が、参照した端末特定ＩＤは機器対応テーブルに設定されている受信予約機器ＩＤと一致すると判定した場合、コンテンツ情報管理部２５は、当該受信予約機器ＩＤに対応する予告コンテンツ受信機器ＩＤと、コンテンツ情報を要求している予告コンテンツ受信機器（本実施形態におけるテレビ１０ａ）の端末特定ＩＤとが一致するか否かを判定する。
【０２１９】
コンテンツ情報管理部２５が、受信予約機器ＩＤに対応する予告コンテンツ受信機器ＩＤと、コンテンツ情報を要求している予告コンテンツ受信機器（本実施形態におけるテレビ１０ａ）の端末特定ＩＤとが一致すると判定した場合、コンテンツ情報管理部２５は、当該コンテンツ情報の放送番組は予約済であることを示す情報を、コンテンツ情報と共に番組リスト生成部２８に出力する。
【０２２０】
一方、コンテンツ情報管理部２５が、参照した端末特定ＩＤは機器対応テーブルに設定されている受信予約機器ＩＤと一致しないと判定した場合、または、受信予約機器ＩＤに対応する予告コンテンツ受信機器ＩＤと、コンテンツ情報を要求している予告コンテンツ受信機器（本実施形態におけるテレビ１０ａ）の端末特定ＩＤとが一致しないと判定した場合、コンテンツ情報管理部２５は、参照した端末特定ＩＤによって当該コンテンツ情報は受信予約されていないと判断し、コンテンツ情報を番組リスト生成部２８に出力する。
【０２２１】
このように、本実施形態に係る受信予約システム１ａでは、コンテンツ情報を受信して表示するテレビ１０ａと、放送番組の受信予約を実行するレコーダ８０とが異なる機器であっても、ユーザに対し、ユーザが所望するタイミングで予告コンテンツを提示すると共に、当該予告コンテンツに関連付けられた放送番組の受信予約を行うことができる。また、テレビ１０は、受信したコンテンツ情報と番組リストとを参照し、番組リストに含まれる番組特定情報が受信予約済であるか否かを判定することができ、また、受信予約済であることを示すテキスト（例えば、「視聴予約済み」、「録画予約済み」など）やアイコンを表示することができる。
【０２２２】
なお、機器対応テーブルは、予告コンテンツ受信機器ＩＤおよび受信予約機器ＩＤのそれぞれに対応し、各機器を示すラベルを含む構成でもよい。例えば、図２１において、予告コンテンツ受信機器ＩＤ「０３Ｄ０３１１」に対応するラベルを「テレビ」として、機器対応テーブルに設定する。同様に、受信予約機器ＩＤ１「０４Ｆ００７９」に対応するラベルを「レコーダ」として、機器対応テーブルに設定する。こうすることにより、テレビ１０aは、受信予約済であることを示すテキストと共に、受信予約を実行した機器を表示することができる。すなわち、受信予約システム１ａにおいて、機器対応テーブルに複数の受信予約機器を設定した場合であっても、テレビ１０ａは、受信予約を実行した受信予約機器を表示することができる。なお、ラベルとして設定される機器として、「テレビ」、「ＵＳＢ−ＨＤＤ」、「ＨＤＤレコーダ」、「ブルーレイレコーダ」、「スマートフォン」などが挙げられる。
【０２２３】
また、サーバ２０は、機器対応テーブルをユーザ毎に管理してもよい。例えば、図２１に示す機器対応テーブルに一人のユーザが対応する場合、機器対応テーブルは、当該ユーザが、予告コンテンツを受信可能な機器を３台所有していることを示している。この場合、予告コンテンツを機器「０ｘＤ−００４５」で受信し、受信予約を機器「０４Ｆ００７９」で実行した放送番組の予告コンテンツを機器「０３Ｄ０３１１」に表示すると、受信予約を実行した機器「０４Ｆ００７９」と予告コンテンツを受信する機器「０３Ｄ０３１１」は、機器対応テーブルでは対応していないが、ユーザが同じであるため、機器「０３Ｄ０３１１」は、当該予告コンテンツの放送番組は機器「０４Ｆ００７９」において受信予約済であることを示すことができる。すなわち、受信予約システム１ａにおいて、ユーザが予告コンテンツを受信可能な機器を複数台所有し、予告コンテンツを受信可能な機器それぞれに異なる受信予約機器が機器対応テーブルに設定されている場合においても、受信予約システム１ａでは、ユーザが受信予約を実行した放送番組の予告コンテンツは受信予約済であることを表示することができる。
【０２２４】
なお、上記の説明では、サーバ２０が、受信予約機器ＩＤとしてレコーダのＩＤを管理し、予告コンテンツ受信機器ＩＤとしてテレビのＩＤを管理している場合を例に挙げたが、これは本明細書に記載された発明を限定するものではなく、例えば、後述する実施形態９の構成においては、サーバ２０は、受信予約機器ＩＤとしてテレビのＩＤを管理し、予告コンテンツ受信機器ＩＤとしてスマートフォンのＩＤを管理してもよい。
【０２２５】
（レコーダ８０のハードウェア構成）
図２２に示すように、レコーダ８０は、通信部８１０、制御部８２０、記憶部８３０、放送番組受信部８４０、および操作部８８０を備えている。
【０２２６】
通信部８１０は、レコーダ８０とテレビ１０ａとを通信可能に接続するためのインターフェースであり、レコーダ外部機器通信部８１の機能を実現する。
【０２２７】
制御部８２０として利用可能なデバイスとしては、ＣＰＵを挙げることができる。また、記憶部８３０は、主記憶部および補助記憶部を備えている。記憶部８３０の主記憶として利用可能なデバイスとしては、例えば、半導体ＲＡＭ（random access memory）を挙げることができる。また、記憶部８３０の補助記憶部として利用可能なデバイスとしては、例えば、ハードディスクドライブ（ＨＤＤ）を挙げることができ、記憶部８７の機能を実現する。
【０２２８】
記憶部８３０の補助記憶部には、レコーダ８０として動作させるための制御プログラムが格納されている。制御プログラムは、上述したレコーダ制御部８２の機能を実現するためのプログラムである。また、記憶部８３０の補助記憶部には、レコーダ８０が受信した放送番組を記憶することも可能である。
【０２２９】
制御部８２０は、記憶部８３０の主記憶上に制御プログラムを展開し、展開された制御プログラムに含まれる各種の命令を実行することによって、上述したレコーダ制御部８２の機能を実現する。
【０２３０】
放送番組受信部８４０は、放送される放送番組を受信する装置であり、レコーダ受信部８６の機能を実現する。放送番組受信部８４０として利用可能なデバイスとしては、チューナを挙げることができる。
【０２３１】
操作部８８０は、レコーダ８０に対するユーザ操作を受け付けるためのユーザインターフェースである。操作部８８０として利用可能なデバイスとして、ハードキー、スイッチなどが挙げられる。
【０２３２】
〔実施形態９〕
本発明の他の実施形態について、図２３〜図２７に基づいて説明すれば、以下のとおりである。
【０２３３】
図２４は、本発明の実施形態９に係る受信予約システム１ｂを模式的に示す図である。図２４に示すように、受信予約システム１ｂは、サーバ２０、スマートフォン（表示端末）９０、およびテレビ１０ｂによって構成されている。なお、本実施形態では、表示端末としてスマートフォンを用いて説明しているが、これに限定されず、タブレットＰＣといった携帯情報端末を用いて、受信予約システム１ｂを構成してもよい。
受信予約システム１ｂを構成するサーバ２０、スマートフォン９０、およびテレビ１０ｂの詳細な構成について、図２３を用いて説明する。
【０２３４】
図２４は、本発明の実施形態９に係る受信予約システム１ｂの構成を示すブロック図である。受信予約システム１ｂにおいて、サーバ２０の構成は、上述した実施形態１と同じ構成であるため、説明は省略する。受信予約システム１ｂでは、予告コンテンツをスマートフォン９０が受信し、スマートフォン９０は、当該予告コンテンツの放送番組の受信予約をテレビ１０ｂに指示する。
【０２３５】
（テレビ１０ｂの構成）
テレビ１０ｂは、実施形態１におけるテレビ１０が備えるテレビ通信部１１に替えてテレビ通信部１１ｂを備え、テレビ制御部１２に替えてテレビ制御部１２ｂを備えている。
【０２３６】
テレビ通信部１１ｂは、ネットワーク２を介して、サーバ２０またはスマートフォン９０とデータの送受信をすることができる機能に加えて、スマートフォン９０と直接データの送受信をすることができる機能も備えている。
【０２３７】
テレビ通信部１１ｂは、実施形態１におけるテレビ制御部１２が備えるテレビ受信部１３に替えてテレビ受信部（受信予約受付手段）１３ｂとして機能し、予約済情報送信部１７に替えて予約済情報送信部１７ｂとして機能する。
【０２３８】
テレビ受信部１３ｂは、実施形態１におけるテレビ受信部１３の機能に加えて、放送番組の受信予約を実行する旨の受信予約指示を、テレビ通信部１１ｂを介して受信する。
【０２３９】
予約済情報送信部１７ｂは、テレビ１０ｂが放送番組を受信予約した場合、当該放送番組を受信予約したことを示す予約済情報を、サーバ２０またはスマートフォン９０に対してテレビ通信部１１を介して送信する。
【０２４０】
（スマートフォン９０の構成）
スマートフォン９０は、図２３に示すように、端末通信部９１および端末制御部９２を備えている。
【０２４１】
端末通信部９１は、ネットワーク２を介して、テレビ１０ｂまたはサーバ２０とデータの送受信をすることができる機能に加えて、テレビ１０ｂと直接データの送受信をすることができる機能も備えている。
【０２４２】
端末制御部９２は、スマートフォン９０の各構成を統括的に制御するものである。端末制御部９２の詳細について、以下に説明する。
【０２４３】
（端末制御部９２）
端末制御部９２は、図２３に示すように、端末受信部９３、表示部９４、リクエスト送信部９５、操作信号受付部９６、および予約指示部９７としても機能する。
【０２４４】
端末受信部９３は、端末通信部９１を制御し、端末通信部９１がネットワーク２介して受信したデータを受信する。
【０２４５】
表示部９４は、取得したデータを参照し、スマートフォン９０が備える画面に画像を表示するための制御を行う。
【０２４６】
リクエスト送信部９５は、操作信号受付部９６から取得した操作情報を参照し、サーバ２０に対してデータの送信を要求する信号を、端末通信部９１を介して送信する。
【０２４７】
操作信号受付部９６は、ユーザが入力した情報を受け付け、受け付けた情報を操作信号として接続されている各部に出力する。
【０２４８】
予約指示部９７は、放送番組を受信予約する旨の操作信号を受け付けた場合に、テレビ１０ｂに対して放送番組の受信予約を実行する指示を行う。
【０２４９】
（受信予約システム１ｂの処理）
図２５は、本発明の実施形態９に係る受信予約システム１ｂの処理を示すシーケンス図である。受信予約システム１ｂの処理について、図２５を用いて説明する。
【０２５０】
まず、上述した実施形態１において説明したステップ１〜ステップＳ１３までの処理は、テレビ１０の処理をスマートフォン９０が実行する。
【０２５１】
（ステップＳ４０）
ステップＳ１３において、操作信号受付部９６が放送番組を受信予約する旨の操作信号を受け付けると、当該操作信号を、予約指示部９７に出力する。予約指示部９７は、放送番組を受信予約する旨の受信予約指示を、端末通信部９１に対して行う。端末通信部９１は、ネットワーク２を介して、またはネットワーク２を介さず、テレビ１０ｂに対して受信予約指示を行う。その際、予約指示部９７は、コンテンツ情報に含まれる受信予約情報を、端末通信部９１に出力する。なお、スマートフォン９０がテレビ１０ｂに対して受信予約指示を行う詳細な処理については、後述する。
【０２５２】
（ステップＳ４１）
テレビ受信部１３ｂは、テレビ通信部１１ｂを介して、スマートフォン９０から受信予約指示を受け付ける。そして、テレビ受信部１３ｂは、予約部１８に対して、受信予約指示を行う。
【０２５３】
（ステップＳ４２）
予約部１８は、テレビ受信部１３ｂから受信予約指示を受け付けると、受信予約指示と共に取得する受信予約情報を参照して、放送番組の受信予約を実行する。
【０２５４】
（ステップＳ４３）
続いて、予約部１４は、受信予約した放送番組を示す情報を予約済情報送信部１７ｂに出力する。予約済情報送信部１７ｂは、予約部１４から取得した情報が示す放送番組が予約済であることを示す予約済情報と、テレビ１０ｂを特定する端末特定情報とを、テレビ通信部１１ｂを介して、スマートフォン９０に送信する。
【０２５５】
（ステップＳ４４）
端末受信部９３は、端末通信部９１を介して、予約済情報と端末特定情報とを受信する。
【０２５６】
（ステップＳ４５）
端末受信部９３は、取得した予約済情報と端末特定情報とを、端末通信部９１を介してサーバ２０に送信する。
【０２５７】
（ステップＳ４６）
サーバ受信部２４は、サーバ通信部２１を介して、スマートフォン９０が送信した予約済情報と端末特定情報とを受信する。そして、サーバ受信部２４は、受信した予約済情報と端末特定情報とを、コンテンツ情報管理部２５に出力する。
【０２５８】
（ステップＳ４７）
コンテンツ情報管理部２５は、サーバ受信部２４から予約済情報と端末特定情報とを取得すると、予約済情報が示す放送番組のコンテンツ情報を、コンテンツ情報記憶部２６から取得する。コンテンツ情報管理部２５は、取得したコンテンツ情報の受信予約済情報を、受信予約されていることを示す予約済に変更し、端末特定ＩＤを、取得した端末特定情報に変更し、変更したコンテンツ情報をコンテンツ情報記憶部２６に記憶する。
【０２５９】
（スマートフォン９０がテレビ１０ｂに対して受信予約指示を行う処理）
上述したステップＳ４０において、スマートフォン９０がテレビ１０ｂに対して受信予約指示を行う処理の詳細について、説明する。
【０２６０】
（スマートフォン９０がテレビ１０ｂの設置場所の近傍にある場合）
まず、スマートフォン９０がテレビ１０ｂの設置場所の近傍にある場合について、説明する。
【０２６１】
スマートフォン９０は、テレビ１０ｂの設置場所の近傍にある場合、ネットワーク２を介さず、テレビ１０ｂに対して、受信予約指示を行う。例えば、スマートフォン９０とテレビ１０ｂとが、アクセスポイントを介する無線ＬＡＮ通信（例えば、ＷｉＦｉ（wireless fidelity））を行うことができる場合、端末通信部９１は、アクセスポイントを介し、テレビ１０ｂに対して受信予約指示を行う。テレビ通信部１１ｂは、アクセスポイントを介して、スマートフォン９０からの受信予約指示を受け付ける。
【０２６２】
また、スマートフォン９０とテレビ１０ｂとが、直接データを送受信できる無線ＬＡＮ通信（例えば、ＷｉＦｉダイレクト）を行うことができる場合、端末通信部９１は、テレビ１０ｂに対して直接、受信予約指示を行う。テレビ通信部１１ｂは、スマートフォン９０からの受信予約指示を、直接受け付ける。なお、直接データを送受信できる通信の他の例として、Ｂｌｕｅｔｏｏｔｈ(登録商標)が挙げられる。
【０２６３】
また、予めスマートフォン９０とテレビ１０ｂとの間で赤外線通信の形式を定義しておき、スマートフォン９０から受信予約指示を示す赤外線の信号を送信することにより、テレビ１０ｂに対して受信予約指示を行ってもよい。
【０２６４】
（スマートフォン９０がテレビ１０ｂの設置場所の近傍にない場合）
続いて、スマートフォン９０がテレビ１０の設置場所の近傍にない場合について、説明する。
【０２６５】
（スマートフォン９０が受信予約を蓄積する場合）
まず、スマートフォン９０は、上述したステップＳ１３において、放送番組を受信予約する旨の操作信号を受け付けると、放送番組の受信予約を受け付けたことを、スマートフォン９０が備えるメモリ（不図示）に記憶する。そして、スマートフォン９０が、テレビ１０の設置場所に近付いた場合、メモリに記憶された情報を参照して、テレビ１０ｂに対して受信予約指示を行う。例えば、スマートフォン９０とテレビ１０ｂとが、アクセスポイントを介する無線ＬＡＮ通信を行うことができる場合（例えば、ＷｉＦｉ）、アクセスポイントを介して無線ＬＡＮ通信を行うことができる領域にスマートフォン９０が入ると、スマートフォン９０は、テレビ１０ｂに対して受信予約指示を行う。また、スマートフォン９０とテレビ１０ｂとの通信をＢｌｕｅｔｏｏｔｈによって行った場合においても、同様に、Ｂｌｕｅｔｏｏｔｈによる通信を行うことができる領域にスマートフォン９０が入ると、スマートフォン９０は、テレビ１０ｂに対して受信予約指示を行う。なお、スマートフォン９０とテレビ１０ｂとが赤外線通信を行う場合は、ユーザから赤外線通信を行う操作を受け付けなければならないため、スマートフォン９０は、赤外線通信を行う操作を受け付ける画面を表示させる構成が好ましい。
【０２６６】
（スマートフォン９０がネットワーク２を介して受信予約指示を行う場合）
続いて、スマートフォン９０がネットワーク２を介してテレビ１０ｂに対して受信予約指示を行う場合について、図２６を用いて説明する。図２６は、本発明の実施形態９におけるリモートアクセスサーバ（不図示）に保存されているデータベースを示す図である。このデータベーステーブルは、テレビ１０ｂの機器ＩＤ（具体的には、ＭＡＣアドレス）とテレビ１０ｂに対するリモートアクセスが可能な端末（スマートフォン９０）のＭＡＣアドレスとを関連付けて保持している。また、リモートアクセスサーバとは、スマートフォン９０からテレビ１０ｂへのリモートアクセス（受信予約指示）を実現するために用いられるサーバである。
【０２６７】
以下では、ネットワーク２を介したスマートフォン９０とテレビ１０ｂとの間のリモート接続を確立させるための処理について説明する。
【０２６８】
なお、図２６のデータベーステーブルには、スマートフォン９０のＭＡＣアドレスも、テレビ１０ｂのＭＡＣアドレスも登録されていないものとする。すなわち、以下に説明する動作の開始前には、スマートフォン９０とテレビ１０ｂとは、リモート接続可能な状態になっていないものとする。また、ユーザは、テレビ１０ｂが接続している自宅のローカルエリアネットワークに、スマートフォン９０を接続させたものとする。
【０２６９】
（スマートフォン９０とテレビ１０ｂとの間のリモート接続を確立させるための処理）
テレビ１０ｂが、スマートフォン９０とテレビ１０ｂとのペアをリモートアクセスサーバに登録させるための操作、又は、テレビ１０ｂの電源をオンにする操作を受け付けたものとする。
【０２７０】
テレビ１０ｂは、予め記憶部（不図示）に保存されている所定のＵＲＬ（親機登録用のＵＲＬ）を読み出し、読み出したＵＲＬにアクセスする。その結果、テレビ１０ｂは、リモートアクセスサーバに接続し、テレビ１０ｂのＭＡＣアドレスをリモートアクセスサーバに送信する。
【０２７１】
リモートアクセスサーバがテレビ１０ｂのＭＡＣアドレスを受信すると、リモートアクセスサーバは、受信したＭＡＣアドレスがデータベーステーブルに保存されているか否かを判定する。その結果、リモートアクセスサーバは、受信したＭＡＣアドレスがデータベーステーブルに保存されていないと判定した場合（すなわち、テレビ１０ｂのＭＡＣアドレスが初めてリモートアクセスサーバに登録される場合）には、新規のレコード（図２６の例では、「ユーザＩＤ」フィールドの値が“０００５”であり、「テレビのＭＡＣアドレス」フィールドの値がテレビ１０ｂのＭＡＣアドレスであるようなレコード）をデータベーステーブルに登録するとともに、望ましくは以下の処理を行う。
【０２７２】
すなわち、リモートアクセスサーバは、テレビ１０ｂに向けて、テレビ１０ｂが要求したｈｔｍｌデータを送信する。テレビ１０ｂは、このｈｔｍｌデータが表すＵＩ画面を表示する。ＵＩ画面には、ユーザＩＤと、パスワードの入力欄と、送信ボタンと、が含まれている。
【０２７３】
パスワードが入力され、送信ボタンが押されると、テレビ１０ｂは、入力されたパスワードをリモートアクセスサーバに送信する。リモートアクセスサーバは、入力されたパスワードを新規のレコードの「パスワード」フィールドに保存する。
【０２７４】
次に、ユーザが、スマートフォン９０にインストールされている対象アプリを起動させ、起動した対象アプリに対して、リモートアクセスサーバにスマートフォン９０を登録させるための操作を行ったものとする。
【０２７５】
スマートフォン９０は、記憶部（不図示）に予め保存されている対象アプリの設定ファイルを読み出し、設定ファイルに記録されている所定のＵＲＬ（子機登録用のＵＲＬ）にアクセスする。その結果、スマートフォン９０は、リモートアクセスサーバに接続し、スマートフォン９０のＭＡＣアドレスをリモートアクセスサーバに送信する。
【０２７６】
リモートアクセスサーバがスマートフォン９０のＭＡＣアドレスを受信すると、リモートアクセスサーバは、リモートアクセスサーバに接続しているテレビであって、尚且つ、スマートフォン９０が属しているＬＡＮと同じＬＡＮに属しているテレビが存在するか否かを判定する。
【０２７７】
その結果、リモートアクセスサーバは、そのようなテレビとしてテレビ１０ｂが存在すると判定し、テレビ１０ｂのＭＡＣアドレスが登録されているレコードに、スマートフォン９０のＭＡＣアドレスを登録する。
【０２７８】
以上の処理により、リモートアクセスサーバにスマートフォン９０とテレビ１０ｂとのペアが登録されたことになる。
【０２７９】
次に、テレビ１０ｂが、スマートフォン９０からの受信予約指示を受け付けられる状態にするための操作を受け付けたものとする。
【０２８０】
テレビ１０ｂは、記憶部に予め保存されている所定のＵＲＬ（リモート接続を確立するために親機がアクセスすべきＵＲＬ）を読み出し、読み出したＵＲＬにアクセスする。その結果、テレビ１０ｂは、リモートアクセスサーバに接続し、テレビ１０ｂのＭＡＣアドレスをリモートアクセスサーバに送信する。なお、テレビ１０ｂは、リモートアクセスサーバとの接続をテレビ１０ｂの電源がオフにされるまで維持することが望ましい。
【０２８１】
その後、ユーザは、スマートフォン９０を携帯して外出し、外出先（例えば、海外や友人の家等）で、スマートフォン９０に対してテレビ１０ｂにリモートアクセスさせる操作を行ったものとする。
【０２８２】
スマートフォン９０は、記憶部に保存されている前述の設定ファイルに記録されている所定のＵＲＬ（リモート接続を確立するために子機がアクセスすべきＵＲＬ）にアクセスする。その結果、スマートフォン９０は、リモートアクセスサーバに接続し、スマートフォン９０のＭＡＣアドレスをリモートアクセスサーバに送信する。
【０２８３】
リモートアクセスサーバがスマートフォン９０のＭＡＣアドレスを受信すると、リモートアクセスサーバは、スマートフォン９０のＭＡＣアドレスとテレビのＭＡＣアドレスとを含むレコードがデータベーステーブル内に存在するか否かを判定する。
【０２８４】
その結果、リモートアクセスサーバは、スマートフォン９０のＭＡＣアドレスとテレビ１０ｂのＭＡＣアドレスとを含むレコード（以下、「該当レコード」と称する）がデータベーステーブル内に存在すると判定する。そして、この判定結果を得たリモートアクセスサーバは、スマートフォン９０に向けて、スマートフォン９０が要求したｈｔｍｌデータを送信する。スマートフォン９０は、このｈｔｍｌデータが表すＵＩ画面を表示する。ＵＩ画面には、ユーザＩＤの入力欄、パスワードの入力欄、及び、送信ボタンが含まれている。
【０２８５】
ユーザＩＤ及びパスワードが入力され、送信ボタンが押されると、スマートフォン９０は、入力されたユーザＩＤ及びパスワードをリモートアクセスサーバに送信する。そして、リモートアクセスサーバは、該当レコードの「ユーザＩＤ」フィールドの値が入力されたユーザＩＤと同じ値であり、尚且つ、該当レコードの「パスワード」フィールドの値が入力されたパスワードと同じ値であるか（すなわち、認証が成功したか）を判定する。
【０２８６】
リモートアクセスサーバは、認証が成功したと判定した場合、リモートアクセスサーバに接続中のテレビ１０ｂに対して、スマートフォン９０のＩＰアドレス（グローバルアドレス）及び接続先ポート番号を送信する。なお、認証が成功したとの判定結果を得た時点でテレビ１０ｂがリモートアクセスサーバに接続していない場合には、リモートアクセスサーバは、リモートアクセスに失敗した旨をスマートフォン９０に通知してもよい。また、リモートアクセスサーバは、認証が失敗したとの判定結果を得た場合には、認証が失敗した旨をスマートフォン９０に通知してもよい。
【０２８７】
テレビ１０ｂがスマートフォン９０のＩＰアドレス及び接続先ポート番号を受信すると、テレビ１０ｂは、ＩＰアドレス及び接続先ポート番号を参照し、スマートフォン９０との接続を確立する。そして、スマートフォン９０は、受信予約指示をテレビ１０に送信する。
【０２８８】
以上説明した動作を行うことにより、スマートフォン９０とテレビ１０ｂとの間のリモート接続を確立させることができる。
【０２８９】
（変形例１）
上記の動作、及び、下記の変形例２及び変形例３の動作に関し、機器ＩＤとして、ＭＡＣアドレスの代わりにシリアル番号を用いてもよい。
【０２９０】
（変形例２）
データベーステーブルには、ユーザＩＤ及びパスワードのフィールドを設けなくてもよい。
【０２９１】
この場合、リモートアクセスサーバにスマートフォン９０とテレビ１０ｂとのペアが登録されるまでの工程において、リモートアクセスサーバは、以下のように動作してもよい。
【０２９２】
すなわち、リモートアクセスサーバは、テレビ１０ｂのＭＡＣアドレスがデータベーステーブルに保存されていないと判定した場合、「テレビのＭＡＣアドレス」フィールドの値がテレビ１０ｂのＭＡＣアドレスであるようなレコードをデータベーステーブルに登録するが、その後に、ユーザＩＤとパスワードの入力欄と送信ボタンとを含むＵＩ画面を表すｈｔｍｌデータを、テレビ１０ｂに送信しないようになっていてもよい。
【０２９３】
また、ユーザがスマートフォン９０に対してテレビ１０ｂにリモートアクセスさせる操作を行った後における、スマートフォン９０とテレビ１０ｂとの間のリモート接続を確立させる工程において、リモートアクセスサーバは、以下のように動作してもよい。
【０２９４】
すなわち、リモートアクセスサーバは、スマートフォン９０のＭＡＣアドレスとテレビのＭＡＣアドレスとを含むレコードがデータベーステーブル内に存在すると判定した場合（すなわち、スマートフォン９０と紐付けられたテレビを特定した場合）に、ユーザ認証を行うことなく、特定したテレビ（テレビ１０ｂ）に対して、スマートフォン９０のＩＰアドレス及び接続先ポート番号を送信してもよい。
【０２９５】
なお、リモートアクセスサーバは、特定したテレビ１０ｂの機器ＩＤにスマートフォン９０のユーザＩＤを紐付けて記憶部４３０に記録してもよい。
【０２９６】
（変形例３）
ユーザがスマートフォン９０に対してテレビ１０ｂにリモートアクセスさせる操作を行った後における、スマートフォン９０とテレビ１０ｂとの間のリモート接続を確立させる工程において、リモートアクセスサーバは、以下のように動作してもよい。
【０２９７】
すなわち、リモートアクセスサーバは、スマートフォン９０との接続が確立されると、スマートフォン９０のＭＡＣアドレスとテレビのＭＡＣアドレスとを含むレコードがデータベーステーブル内に存在するか否かを判定せずに、スマートフォン９０に向けて、ユーザＩＤの入力欄とパスワードの入力欄と送信ボタンとを含むＵＩ画面を表すｈｔｍｌデータを送信してもよい。
【０２９８】
そして、スマートフォン９０に当該ＵＩ画面が表示され、当該ＵＩ画面にユーザＩＤ及びパスワードが入力され、送信ボタンが押されると、スマートフォン９０は、入力されたユーザＩＤ及びパスワードをリモートアクセスサーバに送信してもよい。さらに、リモートアクセスサーバは、「ユーザＩＤ」フィールドの値が入力されたユーザＩＤと同じ値であり、尚且つ、「パスワード」フィールドの値が入力されたパスワードと同じ値であるようなレコードがデータベーステーブル内に存在するか（すなわち、ユーザ認証が成功したか）否かを判定してもよい。
【０２９９】
リモートアクセスサーバは、ユーザ認証が成功したと判定した場合、該当レコードの「ＭＡＣアドレス」フィールドの値を参照することにより、リモートアクセスサーバに接続中のテレビであって、尚且つ、スマートフォン９０に入力されたユーザＩＤ及びパスワードに紐付けられているテレビ（テレビ１０ｂ）を特定してもよい。そして、リモートアクセスサーバは、特定したテレビ１０ｂに対して、スマートフォン９０のＩＰアドレス及び接続先ポート番号を送信してもよい。
【０３００】
なお、リモートアクセスサーバは、スマートフォン９０に入力されたユーザＩＤに、特定したテレビ１０ｂの機器ＩＤを紐付けて記憶部に記録してもよい。
【０３０１】
このように、本実施形態に係る受信予約システム１ｂでは、コンテンツ情報を受信して表示するスマートフォン９０と、放送番組の受信予約を実行するテレビ１０ｂとが異なる機器であっても、ユーザに対し、ユーザが所望するタイミングで予告コンテンツを提示すると共に、当該予告コンテンツに関連付けられた放送番組の受信予約を行うことができる。また、コンテンツ情報を受信して表示するスマートフォン９０は、携帯可能であるため、外出先においても、テレビ１０ｂに対して、受信予約を実行させることができる。
【０３０２】
（スマートフォン９０のハードウェア構成）
図２７に示すように、スマートフォン９０は、通信部９１０、制御部９２０、記憶部９３０、表示部９４０、および操作部９８０を備えている。
【０３０３】
通信部９１０は、テレビ１０ｂおよびサーバ３０を通信可能に接続するためのインターフェースであり、端末通信部９１の機能を実現する。
【０３０４】
制御部９２０として利用可能なデバイスとしては、ＣＰＵを挙げることができる。また、記憶部９３０は、主記憶部および補助記憶部を備えている。記憶部９３０の主記憶として利用可能なデバイスとしては、例えば、半導体ＲＡＭ（random access memory）を挙げることができる。また、記憶部９３０の補助記憶部として利用可能なデバイスとしては、例えば、ハードディスクドライブ（ＨＤＤ）を挙げることができる。
【０３０５】
記憶部９３０の補助記憶部には、スマートフォン９０として動作させるための制御プログラムが格納されている。制御プログラムは、上述した端末制御部９２の機能を実現するためのプログラムである。また、記憶部９３０の補助記憶部には、スマートフォン９０が受信した放送番組を記憶することも可能である。
【０３０６】
制御部９２０は、記憶部９３０の主記憶上に制御プログラムを展開し、展開された制御プログラムに含まれる各種の命令を実行することによって、上述した端末制御部９２の機能を実現する。
【０３０７】
表示部９４０は、制御部９２０から出力された画像信号が示す画像を表示する装置である。
【０３０８】
操作部９８０は、スマートフォン９０に対するユーザ操作を受け付けるためのユーザインターフェースである。操作部９８０として利用可能なデバイスとして、ハードキー、スイッチなどが挙げられる。
【０３０９】
〔まとめ〕
本発明の態様１に係る放送受信端末（テレビ１０）は、放送番組を予告する予告コンテンツに関連付けられている予告情報、および、当該放送番組を受信予約するための受信予約情報を含むコンテンツ情報を、ネットワークを介して受信する受信手段（テレビ受信部１３）と、上記受信手段が受信した上記予告情報に関連付けられている予告コンテンツを表示する表示手段（表示部１４）と、上記放送番組を受信予約する旨の操作信号を受け付けた場合に、上記受信予約情報を参照して上記放送番組の受信予約を実行する予約手段（予約部１８）と、を備えている。
【０３１０】
上記の構成によれば、放送受信端末は、サーバから予告コンテンツをユーザが所望するタイミングで受信し、表示することができる。また、放送受信端末は、表示している予告コンテンツが予告する放送番組の受信予約をすることができる。したがって、放送受信端末は、ユーザが所望するタイミングで予告コンテンツを提示すると共に、当該予告コンテンツに関連付けられた放送番組の受信予約を行うことができる。
【０３１１】
本発明の態様２に係る放送受信端末は、上記態様１において、上記表示手段は、複数の予告コンテンツを表示し、上記複数の予告コンテンツの中から所定のコンテンツを選択する予告コンテンツ選択手段と、を備え、上記予約手段は、当該選択された予告コンテンツが予告する放送番組の受信予約を実行してもよい。
【０３１２】
上記の構成によれば、放送受信端末は、複数の予告コンテンツを画面に表示し、選択された予告コンテンツが予告する放送番組の受信予約を実行することができる。
【０３１３】
本発明の態様３に係る放送受信端末は、上記態様１または２において、上記受信手段は、１または複数の放送番組の各々を特定する各番組特定情報を含む番組リスト情報を受信し、上記表示手段は、上記番組リスト情報を参照して、上記各番組特定情報を含む番組リストを表示してもよい。
【０３１４】
上記の構成によれば、放送受信端末は、複数の放送番組を特定する番組特定情報を同時に表示することができる。
【０３１５】
本発明の態様４に係る放送受信端末は、上記態様１〜３において、上記予約手段は、上記表示手段が上記予告コンテンツを表示している期間中に、上記受信予約する旨の操作信号を受け付けた場合、上記受信予約情報を参照して上記放送番組の受信予約を実行してもよい。
【０３１６】
上記の構成によれば、放送受信端末は、予告コンテンツを表示している画面において、放送番組の受信予約を実行することができる。
【０３１７】
本発明の態様５に係る放送受信端末は、上記態様３または４において、各番組特定情報には、付加情報が関連付けられており、当該放送受信端末は、特定の条件を満たす付加情報に関連付けられた番組特定情報を抽出する抽出手段を更に備え、上記表示手段は、上記抽出手段によって抽出された番組特定情報よりなる番組リストを表示してもよい。
【０３１８】
上記の構成によれば、放送受信端末は、付加情報に関連付けられた番組特定情報よりなる番組リストを表示することができる。
【０３１９】
本発明の態様６に係る放送受信端末は、上記態様５において、上記付加情報には、上記放送番組を放送する放送局を示す放送局情報、上記放送番組の属性を示す属性情報、上記放送番組の放送日時を示す放送日時情報、および上記放送番組を視聴するために課金されるか否かを示す課金情報の少なくとも何れかが含まれていてもよい。
【０３２０】
上記の構成によれば、放送受信端末は、放送局情報、属性情報、放送日時情報、課金情報ごとの番組リストを表示することができる。
【０３２１】
本発明の態様７に係る放送受信端末は、上記態様３〜６において、上記受信手段は、上記表示手段が表示する番組リストに含まれる番組特定情報によって特定される放送番組に関連付けられている予告コンテンツを受信してもよい。
【０３２２】
上記の構成によれば、放送受信端末は、番組リストに含まれる番組特定情報によって特定される放送番組に関連付けられている予告コンテンツを表示することができる。
【０３２３】
上記の構成によれば、選択された番組特定情報によって特定される放送番組に関連付けられている予告コンテンツを表示することができる。
【０３２４】
本発明の態様８に係る放送受信端末は、上記態様１〜７において、上記放送受信端末は、上記予約手段が受信予約した放送番組が予約されたことを示す受信予約情報を、上記コンテンツ情報を配信する外部サーバに送信する送信手段（予約済情報送信部１７）をさらに備えてもよい。
【０３２５】
上記の構成によれば、放送受信端末は、受信予約した放送番組を外部サーバに知らせることができる。
【０３２６】
本発明の態様９に係る放送受信端末は、上記態様１〜８において、上記放送受信端末は、上記コンテンツ情報を配信する外部サーバに対して、上記コンテンツ情報の送信を要求してもよい。
【０３２７】
上記の構成によれば、放送受信端末は、コンテンツ情報を受信したい時に、コンテンツ情報を受信することができる。なお、「上記コンテンツ情報の送信を要求する」とは、コンテンツ情報の送信を直接的に要求する場合に限られず、例えば、予告を表示する旨の操作信号を送信することによってコンテンツ情報の送信を間接的に要求する場合も含まれる。
【０３２８】
本発明の態様１０に係るサーバ（２０）は、放送番組を予告する予告コンテンツに関連付けられている予告情報を、ネットワークを介して送信する送信手段（サーバ送信部２７）と、上記放送番組の受信予約が実行されたことを示す予約済情報と、上記放送番組の受信予約を実行した端末を特定する端末特定情報と、を受信する受信手段（サーバ受信部２４）と、を備え、上記受信手段が上記予約済情報を受信した場合、上記送信手段は、上記放送番組を予告する予告コンテンツに関連付けられている予告情報と、上記放送番組は受信予約されていることを示す受信予約済情報と、を送信する。
【０３２９】
上記の構成によれば、サーバは、受信予約した放送受信端末に、放送番組を受信予約したことを知らせることができる。
【０３３０】
本発明の態様１１に係る受信予約システムは、放送受信端末（テレビ１０）およびサーバ（２０）を備えている受信予約システムであって、上記放送受信端末は、放送番組を予告する予告コンテンツに関連付けられている予告情報、および、当該放送番組を受信予約するための受信予約情報を含むコンテンツ情報を、ネットワークを介して受信する端末受信手段（テレビ受信部１３）と、上記端末受信手段が受信した上記予告情報に関連付けられている予告コンテンツを表示する表示手段（表示部１４）と、上記放送番組を受信予約する旨の操作信号を受け付けた場合に、上記受信予約情報を参照して上記放送番組の受信予約を実行する予約手段（予約部１８）と、を備え、上記サーバは、上記コンテンツ情報を上記放送受信端末に送信するサーバ送信手段（サーバ送信部）を備えている。
【０３３１】
上記の構成によれば、上記態様１と同様の効果を奏することができる。
【０３３２】
本発明の態様１２に係る受信予約システムは、上記態様１１において、上記放送受信端末は、上記予約手段が受信予約した番組が予約済であることを示す受信予約情報を、上記コンテンツ情報を配信する外部サーバに送信する端末送信手段（予約済情報送信部１７）をさらに備え、上記サーバは、上記放送受信端末から上記受信予約情報を受信するサーバ受信手段（サーバ受信部２４）をさらに備え、上記サーバ送信手段は、上記サーバ受信手段が上記予告情報を受信した場合、上記放送番組を予告する予告コンテンツに関連付けられている予告情報と、上記放送番組は受信予約されていることを示す予約済情報と、を送信してもよい。
【０３３３】
上記の構成によれば、上記態様１０と同様の効果を奏することができる。
【０３３４】
本発明の態様１３に係る制御プログラムは、放送受信端末（テレビ１０）としてコンピュータを機能させるための制御プログラムであって、上記コンピュータを、放送番組を予告する予告コンテンツに関連付けられている予告情報、および、当該放送番組を受信予約するための受信予約情報を含むコンテンツ情報を、ネットワークを介して受信する受信制御手段（テレビ受信部１３）と、上記受信制御手段が受信した上記予告情報に関連付けられている予告コンテンツを表示する表示制御手段（表示部１４）と、上記放送番組を受信予約する旨の操作信号を受け付けた場合に、上記受信予約情報を参照して上記放送番組の受信予約を実行する予約制御手段（予約部１８）と、として機能させる。
【０３３５】
上記の構成によれば、放送受信端末をコンピュータによって実現することができる。
【０３３６】
本発明の態様１４に係る制御方法は、サーバ（２０）を制御する制御方法であって、放送番組を予告する予告コンテンツに関連付けられている予告情報を、ネットワークを介して送信する送信工程と、上記放送番組の受信予約が実行されたことを示す予約済情報と、上記放送番組の受信予約を実行した端末を特定する端末特定情報と、を受信する受信工程と、を含み、上記送信工程は、上記受信工程において上記予約済情報を受信した場合、上記放送番組を予告する予告コンテンツに関連付けられている予告情報と、上記放送番組は受信予約されていることを示す受信予約済情報と、を送信する。
【０３３７】
上記の構成によれば、上記態様１０と同様の効果を奏することができる。
【０３３８】
本発明の態様１５に係る受信予約システム（１ａおよび１ｂ）は、表示端末（テレビ１０ａおよびスマートフォン９０）および放送受信端末（レコーダ８０およびテレビ１０ｂ）を備えた受信予約システムであって、上記表示端末は、放送番組を予告する予告コンテンツに関連付けられている予告情報、および、当該放送番組を受信予約するための受信予約情報を含むコンテンツ情報を、ネットワークを介して受信する端末受信手段（テレビ受信部１３ａおよび端末受信部９３）と、上記端末受信手段が受信した上記予告情報に関連付けられている予告コンテンツを表示する表示手段（表示部１４および表示部９４）と、上記放送番組を受信予約する旨の操作信号を受け付けた場合に、上記受信予約情報を参照して上記放送番組の受信予約を実行する旨の受信予約指示を、上記放送受信端末に対して行う受信予約指示手段（予約指示部１０３および予約指示部９７）と、を備え、上記放送受信端末は、上記表示端末から、上記受信予約指示を受け付ける受信予約受付手段（レコーダ外部機器通信制御部８３、テレビ受信部１３ｂ）と、上記受信予約指示を参照して上記放送番組の受信予約を実行する予約手段（予約部１８、予約部８４）と、を備えることを特徴とする受信予約システム。
【０３３９】
上記の構成によれば、受信予約システムでは、表示端末が、受信した予告コンテンツを表示し、当該予告コンテンツの放送番組の受信予約を受け付ける。そして、表示端末は、受け付けた受信予約を放送受信端末に実行させる受信予約指示を行う。放送受信端末は、受け付けた受信予約指示を実行する。したがって、受信予約システムでは、予告コンテンツを受信して表示する表示端末と、放送番組の受信予約を実行する放送受信端末とが異なる場合であっても、ユーザに対し、ユーザが所望するタイミングで予告コンテンツを提示すると共に、当該予告コンテンツに関連付けられた放送番組の受信予約を行うことができる。なお、上記表示端末及び放送受信端末を、それぞれ、携帯情報端末及びテレビとして実現してもよいし、上記表示端末及び放送受信端末を、それぞれ、テレビ及びレコーダとして実現してもよい。
【０３４０】
本発明の態様１６に係る表示端末（スマートフォン９０）は、放送番組を予告する予告コンテンツに関連付けられている予告情報、および、当該放送番組を受信予約するための受信予約情報を含むコンテンツ情報を、ネットワークを介して受信する端末受信手段（端末受信部９３）と、上記端末受信手段が受信した上記予告情報に関連付けられている予告コンテンツを表示する表示手段（表示部９４）と、上記放送番組を受信予約する旨の操作信号を受け付けた場合に、上記受信予約情報を参照して上記放送番組の受信予約を実行する旨の受信予約指示を行う受信予約指示手段（予約指示部９７）と、を備える。
【０３４１】
上記の構成によれば、態様１７に係る受信予約システムに用いられる表示端末を実現することができる。
【０３４２】
本発明の態様１７に係る制御プログラムは、表示端末としてコンピュータを機能させるための制御プログラムであって、上記コンピュータを、放送番組を予告する予告コンテンツに関連付けられている予告情報、および、当該放送番組を受信予約するための受信予約情報を含むコンテンツ情報を、ネットワークを介して受信する端末受信手段と、上記端末受信手段が受信した上記予告情報に関連付けられている予告コンテンツを表示する表示手段と、上記放送番組を受信予約する旨の操作信号を受け付けた場合に、上記受信予約情報を参照して上記放送番組の受信予約を実行する旨の受信予約指示を行う受信予約指示手段と、として機能させる。
【０３４３】
上記の構成によれば、表示端末をコンピュータによって実現することができる。
【０３４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０３４５】
本発明は、放送番組を受信予約する受信予約システムに利用することができる。
【符号の説明】
【０３４６】
１、１ａ、１ｂ  受信予約システム
２  ネットワーク
１０、１０ａ、１０ｂ  テレビ（放送受信端末、表示端末）
１１、１１ｂ  テレビ通信部
１２、１２ａ、１２ｂ  テレビ制御部
１３、１３ｂ  テレビ受信部（受信手段、端末受信手段、受信制御手段）
１４  表示部（表示手段、抽出手段、表示制御手段）
１５  リクエスト送信部
１６  操作信号受付部（予告コンテンツ選択手段）
１７、１７ｂ  予約済情報送信部（送信手段、端末送信手段）
１８  予約部（予約手段、予約制御手段）
２０  サーバ
２１  サーバ通信部
２２  予告コンテンツ送信部（サーバ送信手段）
２３  予告コンテンツ記憶部
２４  サーバ受信部（受信手段、サーバ受信手段）
２５  コンテンツ情報管理部
２６  コンテンツ情報記憶部
２７  サーバ送信部（送信手段）
２８  番組リスト生成部
８０  レコーダ（放送受信端末）
８１  レコーダ外部機器通信部
８２  レコーダ制御部
８３  レコーダ外部機器通信制御部（受信予約受付手段）
８４  予約部（予約手段）
８５  予約済情報送信部
８６  レコーダ受信部
８７  レコーダ記憶部
９０  スマートフォン（表示端末）
９１  端末通信部
９２  端末制御部
９３  端末受信部（端末受信手段）
９４  表示部（表示手段）
９５  リクエスト送信部
９６  操作信号受付部
９７  予約指示部（受信予約指示手段）
１０１  テレビ外部機器通信部
１０２  テレビ外部機器通信制御部
１０３  予約指示部（受信予約指示手段）
【図１】
2015186138.tif 000003
【図２】
2015186138.tif 000004
【図３】
2015186138.tif 000005
【図４】
2015186138.tif 000006
【図５】
2015186138.tif 000007
【図６】
2015186138.tif 000008
【図７】
2015186138.tif 000009
【図８】
2015186138.tif 000010
【図９】
2015186138.tif 000011
【図１０】
2015186138.tif 000012
【図１１】
2015186138.tif 000013
【図１２】
2015186138.tif 000014
【図１３】
2015186138.tif 000015
【図１４】
2015186138.tif 000016
【図１５】
2015186138.tif 000017
【図１６】
2015186138.tif 000018
【図１７】
2015186138.tif 000019
【図１８】
2015186138.tif 000020
【図１９】
2015186138.tif 000021
【図２０】
2015186138.tif 000022
【図２１】
2015186138.tif 000023
【図２２】
2015186138.tif 000024
【図２３】
2015186138.tif 000025
【図２４】
2015186138.tif 000026
【図２５】
2015186138.tif 000027
【図２６】
2015186138.tif 000028
【図２７】
2015186138.tif 000029
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
放送番組を予告する予告コンテンツと、予告コンテンツに関連付けられているコンテンツ情報とを、ネットワークを介して受信する受信部と、
上記受信部が受信した上記予告コンテンツを表示する表示部と、
上記放送番組を受信予約する旨の操作信号を受け付けた場合に、上記コンテンツ情報を参照して上記放送番組の受信予約を実行する予約部と、を備えていることを特徴とする放送受信端末。
【請求項２】
上記表示部は、複数の予告コンテンツを表示し、
上記複数の予告コンテンツの中から所定のコンテンツを選択する予告コンテンツ選択部と、を備え、
上記予約部は、当該選択された予告コンテンツが予告する放送番組の受信予約を実行することを特徴とする請求項１に記載の放送受信端末。
【請求項３】
上記受信部は、１または複数の放送番組の各々を特定する各番組特定情報を含む番組リスト情報を受信し、
上記表示部は、上記番組リスト情報を参照して、上記各番組特定情報を含む番組リストを表示することを特徴とする請求項１または２に記載の放送受信端末。
【請求項４】
上記予約部は、上記表示部が上記予告コンテンツを表示している期間中に、上記受信予約する旨の操作信号を受け付けた場合、上記コンテンツ情報を参照して上記放送番組の受信予約を実行することを特徴とする請求項１〜３の何れか１項に記載の放送受信端末。
【請求項５】
各番組特定情報には、付加情報が関連付けられており、
当該放送受信端末は、特定の条件を満たす付加情報に関連付けられた番組特定情報を抽出する抽出部を更に備え、
上記表示部は、上記抽出部によって抽出された番組特定情報よりなる番組リストを表示することを特徴とする請求項３または４に記載の放送受信端末。
【請求項６】
上記付加情報には、上記放送番組を放送する放送局を示す放送局情報、上記放送番組の属性を示す属性情報、上記放送番組の放送日時を示す放送日時情報、および上記放送番組を視聴するために課金されるか否かを示す課金情報の少なくとも何れかが含まれていることを特徴とする請求項５に記載の放送受信端末。
【請求項７】
上記受信部は、上記表示部が表示する番組リストに含まれる番組特定情報によって特定される放送番組に関連付けられている予告コンテンツを受信することを特徴とする請求項３〜６の何れか１項に記載の放送受信端末。
【請求項８】
上記放送受信端末は、上記予約部が受信予約した放送番組が予約されたことを示す予約済情報を、上記コンテンツ情報を配信する外部サーバに送信する送信部をさらに備えていることを特徴とする請求項１〜７の何れか１項に記載の放送受信端末。
【請求項９】
上記放送受信端末は、上記コンテンツ情報を配信する外部サーバに対して、上記コンテンツ情報の送信を要求することを特徴とする請求項１〜８の何れか１項に記載の放送受信端末。
【請求項１０】
放送番組を予告する予告コンテンツと、予告コンテンツに関連付けられているコンテンツ情報とを、ネットワークを介して送信する送信部と、
上記放送番組の受信予約が実行されたことを示す予約済情報と、上記放送番組の受信予約を実行した端末を特定する端末特定情報と、を受信する受信部と、を備え、
上記受信部が上記予約済情報を受信した場合、上記送信部は、上記放送番組を予告する予告コンテンツに関連付けられているコンテンツ情報と、上記放送番組は受信予約されていることを示す受信予約済情報と、を送信することを特徴とするサーバ。
【請求項１１】
放送受信端末およびサーバを備えている受信予約システムであって、
上記放送受信端末は、
放送番組を予告する予告コンテンツと、予告コンテンツに関連付けられているコンテンツ情報とを、ネットワークを介して受信する端末受信部と、
上記端末受信部が受信した上記予告コンテンツを表示する表示部と、
上記放送番組を受信予約する旨の操作信号を受け付けた場合に、上記コンテンツ情報を参照して上記放送番組の受信予約を実行する予約部と、を備え、
上記サーバは、上記コンテンツ情報を上記放送受信端末に送信するサーバ送信部を備えていることを特徴とする受信予約システム。
【請求項１２】
上記放送受信端末は、上記予約部が受信予約した番組が予約済であることを示す予約済情報を、上記コンテンツ情報を配信する外部サーバに送信する端末送信部をさらに備え、
上記サーバは、上記放送受信端末から上記予約済情報を受信するサーバ受信部をさらに備え、
上記サーバ送信部は、上記サーバ受信部が上記予約済情報を受信した場合、上記放送番組を予告する予告コンテンツと、予告コンテンツに関連付けられているコンテンツ情報と、を送信することを特徴とする請求項１１に記載の受信予約システム。
【請求項１３】
放送受信端末としてコンピュータを機能させるための制御プログラムであって、上記コンピュータを、
放送番組を予告する予告コンテンツと、予告コンテンツに関連付けられているコンテンツ情報とを、ネットワークを介して受信する受信制御部と、
上記受信制御部が受信した上記予告コンテンツを表示する表示制御部と、
上記放送番組を受信予約する旨の操作信号を受け付けた場合に、上記コンテンツ情報を参照して上記放送番組の受信予約を実行する予約制御部と、として機能させるための制御プログラム。
【請求項１４】
サーバを制御する制御方法であって、
放送番組の受信予約が実行されたことを示す予約済情報、及び、当該放送番組の受信予約を実行した端末を特定する端末特定情報を受信する受信工程と、
上記受信工程において上記予約済情報を受信した場合に、
（１）上記放送番組を予告する予告コンテンツに関連付けられているコンテンツ情報、及び、
（２）上記放送番組は受信予約されていることを示す受信予約済情報、
をネットワークを介して送信する送信工程と、を含むことを特徴とする制御方法。
【請求項１５】
表示端末および放送受信端末を備えた受信予約システムであって、
上記表示端末は、
放送番組を予告する予告コンテンツと、予告コンテンツに関連付けられているコンテンツ情報とを、ネットワークを介して受信する端末受信部と、
上記端末受信部が受信した上記予告コンテンツを表示する表示部と、
上記放送番組を受信予約する旨の操作信号を受け付けた場合に、上記コンテンツ情報を参照して上記放送番組の受信予約を実行する旨の受信予約指示を、上記放送受信端末に対して行う受信予約指示部と、を備え、
上記放送受信端末は、
上記表示端末から、上記受信予約指示を受け付ける受信予約受付部と、
上記受信予約指示を参照して上記放送番組の受信予約を実行する予約部と、を備えることを特徴とする受信予約システム。
【請求項１６】
放送受信端末に接続された表示端末であって、
放送番組を予告する予告コンテンツと、予告コンテンツに関連付けられているコンテンツ情報とを、ネットワークを介して受信する端末受信部と、
上記端末受信部が受信した上記予告コンテンツを表示する表示部と、
上記放送番組を受信予約する旨の操作信号を受け付けた場合に、上記コンテンツ情報を参照して上記放送番組の受信予約を実行する旨の受信予約指示を上記放送受信端末に対して行う受信予約指示部と、を備えることを特徴とする表示端末。
【請求項１７】
放送受信端末に接続された表示端末としてコンピュータを機能させるための制御プログラムであって、上記コンピュータを、
放送番組を予告する予告コンテンツと、予告コンテンツに関連付けられているコンテンツ情報とを、ネットワークを介して受信する端末受信部と、
上記端末受信部が受信した上記予告コンテンツを表示する表示部と、
上記放送番組を受信予約する旨の操作信号を受け付けた場合に、上記コンテンツ情報を参照して上記放送番組の受信予約を実行する旨の受信予約指示を上記放送受信端末に対して行う受信予約指示部と、として機能させるための制御プログラム。
【請求項１８】
放送番組を予告する予告コンテンツと、予告コンテンツに関連付けられているコンテンツ情報とを、ネットワークを介して受信する受信部と、
上記受信部が受信した上記予告コンテンツを表示する表示部と、
上記放送番組を選択する旨の操作信号を受け付けた場合に上記コンテンツ情報を参照し、上記放送番組の受信予約の受付けを可能とする予約部と、を備えていることを特徴とする放送受信端末。